(57)【要約】  ３つ以上のノードを備え、ノード間の接続のうち少なくとも一部の区間に複数のコアを有するマルチコアファイバが用いられている光給電システムにおけるノードは、マルチコアファイバが有するコアから給電用の光の一部又は全てを分岐する給電光分岐部と、給電光分岐部が分岐した給電用の光を電気に変換する光電気変換部と、光電気変換部により変換された電気により動作する給電対象設備と、を備える。
2017090608.tif 000002
【特許請求の範囲】
【請求項１】
３つ以上のノードを備え、ノード間の接続のうち少なくとも一部の区間に複数のコアを有するマルチコアファイバが用いられている光給電システムにおけるノードであって、
前記マルチコアファイバが有する前記コアから給電用の光の一部又は全てを分岐する給電光分岐部と、
前記給電光分岐部が分岐した前記給電用の光を電気に変換する光電気変換部と、
前記光電気変換部により変換された電気により動作する給電対象設備と、
を備えるノード。
【請求項２】
３つ以上のノードを備え、ノード間の接続のうち少なくとも一部の区間に複数のコアを有するマルチコアファイバが用いられている光給電システムにおけるノードであって、
前記マルチコアファイバが有する前記コアのうち少なくとも一部のコアに給電用の光を接続する給電光接続部、
を備えるノード。
【請求項３】
前記マルチコアファイバは、通信用の光及び前記給電用の光を伝送する前記コアを有する、
請求項１又は請求項２に記載のノード。
【請求項４】
前記マルチコアファイバは、通信用の光を伝送する前記コアと、前記給電用の光を伝送する前記コアとを有する、
請求項１又は請求項２に記載のノード。
【請求項５】
前記給電用の光を伝送する前記コアは、ハイパワー伝送可能である、
請求項４に記載のノード。
【請求項６】
前記給電用の光の波長は、通信用の光が使用する波長帯に含まれる、
請求項１又は請求項２に記載のノード。
【請求項７】
前記給電用の光の波長は、通信用の光が使用する波長帯に含まれない、
請求項１又は請求項２に記載のノード。
【請求項８】
３つ以上のノードを備え、ノード間の接続のうち少なくとも一部の区間に複数のコアを有するマルチコアファイバが用いられている光給電システムであって、
給電元の前記ノードは、
前記マルチコアファイバが有する前記コアのうち少なくとも一部のコアに給電用の光を接続する給電光接続部を備え、
給電先の前記ノードは、
前記マルチコアファイバが有する前記コアにより伝送された前記給電用の光を分岐する給電光分岐部と、
前記給電光分岐部が分岐した前記給電用の光を電気に変換する光電気変換部と、
前記光電気変換部により変換された電気により動作する給電対象設備と、
を備える、
光給電システム。
【発明の詳細な説明】
【技術分野】
【０００１】
本発明は、ノード及び光給電システムに関する。
本願は、２０１５年１１月２６日に、日本に出願された特願２０１５−２３０８７４号に基づき優先権を主張し、その内容をここに援用する。
【背景技術】
【０００２】
大都市間を接続するコアネットワークや、地域内の拠点を接続するメトロネットワークなどでは光ファイバを用いた通信網が構築されている。このようなネットワークでは、複数の光ファイバが束ねて用いられている。また、１本の光ファイバそれぞれに波長が異なる複数の光信号を多重化する波長分割多重（Wavelength Division Multiplexing：ＷＤＭ）伝送を行うことで、大容量の信号伝送が行われている（例えば、非特許文献１）。更なる伝送容量の増加に向けて、１つのコアを持つ光ファイバ（Single Core Fiber：ＳＣＦ）に代えて、複数のコアを持つ光ファイバであるマルチコアファイバ（Multi Core Fiber：ＭＣＦ）の利用が検討されている（例えば、非特許文献２、３）。
一方、シングルモードの光ファイバを用いて機器に電源を供給するシステムがある（例えば、非特許文献４、５参照）。
【先行技術文献】
【非特許文献】
【０００３】
【非特許文献１】松岡伸治、「経済的なコア・メトロネットワークを実現する超高速大容量光トランスポートネットワーク技術」、ＮＴＴ技術ジャーナル、２０１１年３月、ｐ．８−１２
【非特許文献２】宮本裕、竹ノ内弘和、「毎秒ペタビット級伝送の実現を目指した高密度空間多重光通信技術」、ＮＴＴ技術ジャーナル、２０１４年８月、ｐ．５２−５６
【非特許文献３】白木和之、「光ファイバ・ケーブル技術における研究開発の動向」、ＮＴＴ技術ジャーナル、２０１５年１月、ｐ．５９−６３
【非特許文献４】古河電工、"ＦＩＴＥＬ  光ファイバ  センシングシステム"、［online］、［2015年7月10日検索］、インターネット〈URL：https://www.furukawa.co.jp/fitel/system/products/unit.htm〉
【非特許文献５】business network.jp、"企業ネットワーク最前線  光ファイバで電力を送る「光給電システム」とは？"、［online］、2014年11月11日、［2015年7月10日検索］、インターネット〈URL：http://businessnetwork.jp/Detail/tabid/65/artid/3674/Default.aspx〉
【発明の概要】
【発明が解決しようとする課題】
【０００４】
マルチコアファイバを用いて通信するシステムを構成する各ノードにおいて機器を動作させるには、電源の供給が必要である。そのため、ノードが設置されている場所に、電気の配線を行っている。しかし、電気の配線が困難な場所にノード装置を設置したい場合がある。【０００５】
上記事情に鑑み、本発明は、マルチコアファイバを用いて通信する複数のノードの一部を外部電源がない場所に設置可能なノード及び光給電システムを提供することを目的としている。
【課題を解決するための手段】
【０００６】
本発明の第１の実施態様におけるノードは、３つ以上のノードを備え、ノード間の接続のうち少なくとも一部の区間に複数のコアを有するマルチコアファイバが用いられている光給電システムにおけるノードであって、前記マルチコアファイバが有する前記コアから給電用の光の一部又は全てを分岐する給電光分岐部と、前記給電光分岐部が分岐した前記給電用の光を電気に変換する光電気変換部と、前記光電気変換部により変換された電気により動作する給電対象設備と、を備える。【０００７】
本発明の第２の実施態様におけるノードは、３つ以上のノードを備え、ノード間の接続のうち少なくとも一部の区間に複数のコアを有するマルチコアファイバが用いられている光給電システムにおけるノードであって、前記マルチコアファイバが有する前記コアのうち少なくとも一部のコアに給電用の光を接続する給電光接続部、を備える。【０００８】
本発明の第３の実施態様によれば、上述の第１又は第２の実施態様のノードであって、前記マルチコアファイバは、通信用の光及び前記給電用の光を伝送する前記コアを有する。【０００９】
本発明の第４の実施態様によれば、上述の第１又は第２の実施態様のノードであって、前記マルチコアファイバは、通信用の光を伝送する前記コアと、前記給電用の光を伝送する前記コアとを有する。【００１０】
本発明の第５の実施態様によれば、上述の第４の実施態様のノードであって、前記給電用の光を伝送する前記コアは、ハイパワー伝送可能である。【００１１】
本発明の第６の実施態様によれば、上述の第１又は第２の実施態様のノードであって、前記給電用の光の波長は、通信用の光が使用する波長帯に含まれる。【００１２】
本発明の第７の実施態様によれば、上述の第１又は第２の実施態様のノードであって、前記給電用の光の波長は、通信用の光が使用する波長帯に含まれない。【００１３】
本発明の第８の実施態様における光給電システムは、３つ以上のノードを備え、ノード間の接続のうち少なくとも一部の区間に複数のコアを有するマルチコアファイバが用いられている光給電システムであって、給電元の前記ノードは、前記マルチコアファイバが有する前記コアのうち少なくとも一部のコアに給電用の光を接続する給電光接続部を備え、給電先の前記ノードは、前記マルチコアファイバが有する前記コアにより伝送された前記給電用の光を分岐する給電光分岐部と、前記給電光分岐部が分岐した前記給電用の光を電気に変換する光電気変換部と、前記光電気変換部により変換された電気により動作する給電対象設備と、を備える。
【発明の効果】
【００１４】
本発明により、通信を行う複数のノードの一部を外部電源がない場所に設置することが可能となる。
【図面の簡単な説明】
【００１５】
【図１】本発明の実施形態を適用可能な通信システムの第１の構成例を示す図である。
【図２Ａ】通信システムに用いられるコネクタの第１の構成例を示す図である。
【図２Ｂ】通信システムに用いられるコネクタの第１の構成例を示す図である。
【図３Ａ】通信システムに用いられるコネクタの第２の構成例を示す図である。
【図３Ｂ】通信システムに用いられるコネクタの第２の構成例を示す図である。
【図４Ａ】通信システムに用いられるコネクタの第３の構成例を示す図である。
【図４Ｂ】通信システムに用いられるコネクタの第３の構成例を示す図である。
【図５】本発明の実施形態を適用可能な通信システムの第２の構成例を示す図である。
【図６】本発明の実施形態を適用可能な通信システムの第３の構成例を示す図である。
【図７】本発明の実施形態を適用可能な通信システムの第４の構成例を示す図である。
【図８】図１に示した通信システムにおいて、Ａｄｄ／Ｄｒｏｐノード間の接続の一部に複数のＳＣＦを用いる第１の構成例を示す図である。
【図９】図１に示した通信システムにおいて、Ａｄｄ／Ｄｒｏｐノード間の接続に複数のＳＣＦを用いる第２の構成例を示す図である。
【図１０】本発明の第１の実施形態による光給電システムの構成例を示す図である。
【図１１】第１の実施形態によるＭＣＦの断面図である。
【図１２】第１の実施形態による送信側給電用コネクタの構成例を示す図である。
【図１３】第１の実施形態による受信側給電用コネクタの構成例を示す図である。
【図１４】第１の実施形態による光給電システムの構成例を示す図である。
【図１５】第１の実施形態による光給電システムの構成例を示す図である。
【図１６】第１の実施形態による光給電システムの構成例を示す図である。
【図１７】第１の実施形態によるＭＣＦの断面図である。
【図１８】第１の実施形態による送信側給電用コネクタの構成例を示す図である。
【図１９】第１の実施形態による受信側給電用コネクタの構成例を示す図である。
【図２０】第１の実施形態による光給電システムの構成例を示す図である。
【図２１】第１の実施形態による受信側給電用コネクタの構成例を示す図である。
【図２２】第２の実施形態による光給電システムの構成例を示す図である。
【図２３】第２の実施形態によるＭＣＦの断面図である。
【図２４】第２の実施形態による送信側給電用コネクタの構成例を示す図である。
【図２５】第２の実施形態による受信側給電用コネクタの構成例を示す図である。
【発明を実施するための形態】
【００１６】
以下、図面を参照して本発明の実施形態を詳細に説明する。なお、以下の実施形態では、同一の符号を付した構成要素は同様の動作を行うものとして、重複する説明を適宜省略する。
【００１７】
まず、本発明の実施形態を適用可能な通信システムについて説明する。
図１は、本発明の実施形態を適用可能な通信システム１００の構成例を示す図である。通信システム１００は、送受信ノード１１０と、ｎ台（ｎは１以上の整数）のＡｄｄ／Ｄｒｏｐノード１２０と、を備える。図１には、ｎ＝３の場合における通信システム１００の構成例が示されている。以下の説明では、ｎ台のＡｄｄ／Ｄｒｏｐノード１２０をそれぞれ、Ａｄｄ／Ｄｒｏｐノード１２０−１〜１２０−ｎと記載する。また、送受信ノード１１０とＡｄｄ／Ｄｒｏｐノード１２０とを総称して「ノード」と記載する。以下の説明では、光信号を用いて通信を行う送信装置や受信装置、送受信装置などと、ノードとを個別の構成として記載する。しかし、送信装置や受信装置、送受信装置などをノードが含む構成であってもよい。
【００１８】
ノード間は、ＭＣＦ（マルチコアファイバ）２００−１〜２００−４で接続されている。通信システム１００は、ＭＣＦ２００−１〜２００−４でノード間を接続した片系片方向のリング構成の物理トポロジを有している。送受信ノード１１０とＡｄｄ／Ｄｒｏｐノード１２０−１とは、ＭＣＦ２００−１で接続されている。Ａｄｄ／Ｄｒｏｐノード１２０−１とＡｄｄ／Ｄｒｏｐノード１２０−２とは、ＭＣＦ２００−２で接続されている。Ａｄｄ／Ｄｒｏｐノード１２０−２とＡｄｄ／Ｄｒｏｐノード１２０−３とは、ＭＣＦ２００−３で接続されている。Ａｄｄ／Ｄｒｏｐノード１２０−３と送受信ノード１１０とは、ＭＣＦ２００−４で接続されている。通信システム１００におけるＭＣＦ２００−１〜２００−４は、３つのコア２０１、２０２、２０３を備えている。
【００１９】
通信システム１００の構成についての説明を一般化すると、Ａｄｄ／Ｄｒｏｐノード１２０−ｉ（１≦ｉ≦ｎ−１）は、Ａｄｄ／Ｄｒｏｐノード１２０−（ｉ＋１）とＭＣＦ２００−（ｉ＋１）を介して接続されている。ＭＣＦ２００−１は、送受信ノード１１０とＡｄｄ／Ｄｒｏｐノード１２０−１とを接続する。ＭＣＦ２００−（ｎ＋１）は、Ａｄｄ／Ｄｒｏｐノード１２０−ｎと送受信ノード１１０とを接続する。
【００２０】
通信システム１００の各ノードは、ノード間での通信を行う送信装置（Ｔｘ）及び受信装置（Ｒｘ）を備える。送受信ノード１１０に対して、送信装置１１１−１〜１１１−３と受信装置１１２−１〜１１２−３とが備えられている。Ａｄｄ／Ｄｒｏｐノード１２０−１に対して、送信装置１２１−１と受信装置１２２−１とが備えられている。Ａｄｄ／Ｄｒｏｐノード１２０−２に対して、送信装置１２１−２と受信装置１２２−２とが備えられている。Ａｄｄ／Ｄｒｏｐノード１２０−３に対して、送信装置１２１−３と受信装置１２２−３とが備えられている。送信装置１１１−１〜１１１−３は、それぞれＡｄｄ／Ｄｒｏｐノード１２０−１〜１２０−３へ送信する光信号を生成する。受信装置１１２−１〜１１２−３は、Ａｄｄ／Ｄｒｏｐノード１２０−１〜１２０−３から送信される光信号を受信し、光信号に含まれる情報を取得する。送信装置１２１−１〜１２１−３は、それぞれ送受信ノード１１０へ送信する光信号を生成する。受信装置１２２−１〜１２２−３は、送受信ノード１１０から送信される光信号を受信し、光信号に含まれる情報を取得する。
【００２１】
送信装置１１１−１〜１１１−３は、それぞれＡｄｄ／Ｄｒｏｐノード１２０−１〜１２０−３への光信号を生成する。送信装置１１１−１〜１１１−３により生成された３つの光信号は、それぞれＭＣＦ２００−１のコア２０１−１〜２０３−１に挿入される。受信装置１１２−１〜１１２−３は、それぞれＡｄｄ／Ｄｒｏｐノード１２０−１、１２０−２、１２０−３から受信装置が備えられたノードに送信された光信号を受信する。受信装置１１２−１〜１１２−３は、それぞれＭＣＦ２００−４のコア２０１−４〜２０３−４を介してＡｄｄ／Ｄｒｏｐノード１２０−１〜１２０−３からの光信号を受信する。送受信ノード１１０における、ＭＣＦ２００への光信号の挿入とＭＣＦ２００からの光信号の分岐とには、ファンイン・デバイス又はファンアウト・デバイスが用いられる。
【００２２】
なお、ファンイン・デバイスは、マルチコアファイバ中のコアそれぞれに対して接続され、コアごとに光信号を挿入するデバイスである。ファンアウト・デバイスは、マルチコアファイバ中の各コアそれぞれに対して接続され、各コア内を伝搬する光それぞれを分岐するデバイスである。両者のデバイスの違いは、光の伝搬方向が異なるだけであることから、ファンイン・デバイス又はファンアウト・デバイスのどちらか１つのデバイスを用いてマルチコアファイバとの光の入出力を実施してもよい。また、１つのデバイスでマルチコアファイバへの光の挿入及びマルチコアファイバからの光の分岐を行ってもよい。
【００２３】
各Ａｄｄ／Ｄｒｏｐノード１２０−１〜１２０−３には、それぞれコネクタ１５０−１〜１５０−３が備えられている。Ａｄｄ／Ｄｒｏｐノード１２０−ｉ（ｉ＝１，２，３）におけるコネクタ１５０−ｉは、ＭＣＦ２００−ｉとＭＣＦ２００−（ｉ＋１）とに接続される。コネクタ１５０−ｉは、送受信ノード１１０で挿入された光信号のうち自ノードへの光信号をＭＣＦ２００−ｉから分岐する。また、コネクタ１５０−ｉは、送受信ノード１１０への光信号をＭＣＦ２００−（ｉ＋１）のコアへ挿入する。
【００２４】
Ａｄｄ／Ｄｒｏｐノード１２０−１において、コネクタ１５０−１は、ＭＣＦ２００−１のコア２０１−１から自ノードへの光信号を分岐する。コネクタ１５０−１は、分岐した光信号を受信装置１２２−１へ接続する。また、コネクタ１５０−１は、送信装置１２１−１により生成された光信号を、ＭＣＦ２００−２のコア２０１−２へ挿入する。コア２０１−２へ挿入される光信号は、Ａｄｄ／Ｄｒｏｐノード１２０−１から送受信ノード１１０へ伝送される光信号である。
【００２５】
コネクタ１５０−１は、ＭＣＦ２００−１のコアのうちコア２０２−１、２０３−１と、ＭＣＦ２００−２のコアのうちコア２０２−２、２０３−２とをそれぞれ接続する。コネクタ１５０−１は、ＭＣＦ２００−１とＭＣＦ２００−２との間において光信号を中継する。コネクタ１５０−１は、光信号をＡｄｄ／Ｄｒｏｐするコア２０１−１、２０１−２以外のコアで伝送される光信号を中継する。
【００２６】
Ａｄｄ／Ｄｒｏｐノード１２０−２において、コネクタ１５０−２は、ＭＣＦ２００−２のコア２０２−２から自ノードへの光信号を分岐する。コネクタ１５０−２は、分岐した光信号を受信装置１２２−２へ接続する。また、コネクタ１５０−２は、送信装置１２１−２により生成された光信号を、ＭＣＦ２００−３のコア２０２−３へ挿入する。コア２０２−３へ挿入される光信号は、Ａｄｄ／Ｄｒｏｐノード１２０−２から送受信ノード１１０へ伝送される光信号である。
【００２７】
コネクタ１５０−２は、ＭＣＦ２００−２のコアのうちコア２０１−２、２０３−２と、ＭＣＦ２００−３のコアのうちコア２０１−３、２０３−３とをそれぞれ接続する。コネクタ１５０−２は、ＭＣＦ２００−２とＭＣＦ２００−３との間において光信号を中継する。コネクタ１５０−２は、光信号をＡｄｄ／Ｄｒｏｐするコア２０１−２、２０１−３以外のコアで伝送される光信号を中継する。
【００２８】
Ａｄｄ／Ｄｒｏｐノード１２０−３において、コネクタ１５０−３は、ＭＣＦ２００−３のコア２０３−３から自ノードへの光信号を分岐する。コネクタ１５０−３は、分岐した光信号を受信装置１２２−３へ接続する。また、コネクタ１５０−３は、送信装置１２１−３により生成された光信号をＭＣＦ２００−４のコア２０３−４へ挿入する。コア２０３−４へ挿入される光信号は、Ａｄｄ／Ｄｒｏｐノード１２０−３から送受信ノード１１０へ伝送される光信号である。
【００２９】
コネクタ１５０−３は、ＭＣＦ２００−３のコアのうちコア２０１−３、２０２−３と、ＭＣＦ２００−４のコアのうちコア２０１−４、２０２−４とをそれぞれ接続する。コネクタ１５０−３は、ＭＣＦ２００−３とＭＣＦ２００−４との間において光信号を中継する。コネクタ１５０−３は、光信号をＡｄｄ／Ｄｒｏｐするコア２０３−３、２０３−４以外のコアで伝送される光信号を中継する。
【００３０】
図２Ａ及び図２Ｂは、通信システム１００に用いられるコネクタ１５０の第１の構成例を示す図である。コネクタ１５０は、複数の細径シングルモードファイバ（ＳＭＦ）と複数のＳＭＦとを含むファンイン・ファンアウト部を備える。図２（ａ）に示すように、コネクタ１５０は、接続対象のＭＣＦ２００のコアそれぞれに対して細径ＳＭＦを備える。複数の細径ＳＭＦそれぞれの一端は、ＭＣＦ２００のコアに対向する位置に設けられている。また、複数の細径ＳＭＦの他端がＳＭＦの一端に対向する位置に設けられている。細径ＳＭＦそれぞれは、ＭＣＦ２００のコアとＳＭＦとを接続している。コネクタ１５０は、ＭＣＦ２００の各コアで伝送される光信号を、細径ＳＭＦとＳＭＦとを介して分岐することができる。また、ＳＭＦへ光信号を入力することで、ＭＣＦ２００の各コアへ光信号を入力することができる。
【００３１】
図２Ｂに示されるコネクタ１５０−ｉは、ＭＣＦ２００−ｉとＭＣＦ２００−（ｉ＋１）とを接続する。Ａｄｄ／Ｄｒｏｐの対象となる光信号を伝送するコアに対応するＳＭＦの他端が、コネクタ１５０−ｉの側面に引き出されている。コネクタ１５０−ｉの側面に引き出されているＳＭＦの他端において、光信号の挿入と分岐（Ａｄｄ／Ｄｒｏｐ）を行うことができる。
【００３２】
ＭＣＦ２００−ｉのコアのうちＡｄｄ／Ｄｒｏｐの対象でない光信号を伝送するコアに対するＳＭＦの他端と、ＭＣＦ２００−（ｉ＋１）のコアのうちＡｄｄ／Ｄｒｏｐの対象でない光信号を伝送するコアに対するＳＭＦの他端とは、対向する位置に設けられている。コネクタ１５０−ｉにおいて、Ａｄｄ／Ｄｒｏｐの対象でない光信号は、細径ＳＭＦ及びＳＭＦを介して、ＭＣＦ２００−ｉからＭＣＦ２００−（ｉ＋１）へと中継される。
【００３３】
図３Ａ及び図３Ｂは、通信システム１００に用いられるコネクタ１５０の第２の構成例を示す図である。図３Ａ及び図３Ｂには、図２Ａ及び図２Ｂに示したコネクタ１５０の構成例と異なる構成例が示されている。図３Ａ及び図３Ｂに示されるコネクタ１５０は、ガラス基板上に形成された複数の導波路コアを含む光導波路をファンイン・ファンアウト部として備える。図３Ａに示されるように、コネクタ１５０では、複数の導波路コアが、接続対象のＭＣＦ２００のコアそれぞれに対向する位置に設けられている。ＭＣＦ２００の各コアで伝送される光信号は、導波路コアを介して分離される。また、導波路コアへ光信号を挿入することにより、ＭＣＦ２００の各コアへ光信号を入力することができる。
【００３４】
図３Ｂに示されるコネクタ１５０−ｉでは、コネクタ１５０−ｉにより接続されるＭＣＦ２００−ｉ及びＭＣＦ２００−（ｉ＋１）のコアのうちＡｄｄ／Ｄｒｏｐの対象となる光信号を伝送するコアに対応する導波路コアの一端は、ＭＣＦのコアに対向する位置に設けられている。導波路コアの他端は、コネクタ１５０−ｉの側面に設けられている。コネクタ１５０−ｉの側面に位置する導波路コアの他端において、光信号の挿入と分岐を行うことができる。
【００３５】
ＭＣＦ２００−ｉのコアのうちＡｄｄ／Ｄｒｏｐの対象でない光信号を伝送するコアに対する導波路コアの一端はＭＣＦのコアに対向する位置に設けられる。導波路コアの他端は、ＭＣＦ２００−（ｉ＋１）のコアのうちＡｄｄ／Ｄｒｏｐの対象でない光信号を伝送するコアに対向する位置に設けられる。ＭＣＦ２００−ｉ及びＭＣＦ２００−（ｉ＋１）においてＡｄｄ／Ｄｒｏｐの対象でない光信号を伝送するコアは、導波路コアを介して、一対一に接続される。コネクタ１５０−ｉにおいて、Ａｄｄ／Ｄｒｏｐの対象でない光信号は、導波路コアを介して、ＭＣＦ２００−ｉのコアからＭＣＦ２００−（ｉ＋１）のコアへと中継される。
【００３６】
なお、導波路コアは、基板平面の二次元空間に形成されるだけでなく、参考文献１に記載されているように三次元空間に形成されてもよい。
［参考文献１］R. R. Thomson, et al, "Ultrafast-laser inscription of a three dimensional fan-out device for multicore fiber coupling applications", Optics Express, OSA Publishing, 2007, Vol.15, Issue 18, p.11691-11697
【００３７】
図４Ａ及び図４Ｂは、通信システム１００に用いられるコネクタ１５０の第３の構成例を示す図である。図４Ａ及び図４Ｂには、図２Ａ、図２Ｂ、図３Ａ及び図３Ｂに示したコネクタ１５０の構成例と異なる構成例が示されている。図４Ａ及び図４Ｂに示されるコネクタ１５０は、ＭＣＦ２００の各コアで伝送される光信号を一旦自由空間に出力させ、自由空間において各コアの光信号を光学系で分離する。例えば図４Ａに示されるように、コネクタ１５０は２つのレンズで構成されるファンイン・ファンアウト部を備える。ＭＣＦ２００の各コアで伝送される光信号は、自由空間へ出力され、２つのレンズで屈折されることで分離される。光信号のＡｄｄ／Ｄｒｏｐは、光学系を用いて行われる。自由空間を介した２つのＭＣＦ２００の接続は、例えば参考文献２に記載されている。
［参考文献２］W. Klaus, et al, "Free-Space Coupling Optics for Multicore Fibers", Photonics Technology Letters, IEEE, 2012 September, Volume 24, Issue 21, p.1902-1905
【００３８】
図４Ｂは、コネクタ１５０−ｉの構成例を示す図である。図４Ｂに示されるコネクタ１５０−ｉでは、２つのレンズを組み合わせた光学系（コリメーター）によりＭＣＦ２００−ｉの各コアから出射される光信号をコリメートしている。また、コリメートされた光信号それぞれは、ＭＣＦ２００−（ｉ＋１）の各コアに入力される。Ａｄｄ／Ｄｒｏｐの対象となる光信号の光線経路には、光線経路をコネクタ１５０−ｉの側面方向に変更する鏡が配置されている。光学系により平行光線にされた光信号のうち分離対象の光信号を鏡で反射させてコネクタ１５０−ｉの外部へ分岐させることにより、分離対象の光信号を得ることができる。また、コネクタ１５０−ｉの外部から入力される光信号を鏡に当てることにより、鏡で反射される光信号がコリメートされた光信号と共に２つのレンズを組み合わせた光学系に入射する。光学系に入射した光信号がＭＣＦ２００−（ｉ＋１）のコアに接続されることで、Ａｄｄ対象の光信号をコアへ挿入することができる。
【００３９】
Ａｄｄ／Ｄｒｏｐの対象でない光信号は、光学系で分離された後に、Ａｄｄされた光信号と共に束ねられてＭＣＦ２００−（ｉ＋１）のコアそれぞれに入力される。コネクタ１５０−ｉにおいて、Ａｄｄ／Ｄｒｏｐの対象でない光信号は、自由空間を介して、ＭＣＦ２００−ｉからＭＣＦ２００−（ｉ＋１）へと中継される。なお、図面ではファイバ出射光のコリメートにレンズ２枚を使い、自由空間中における光の伝搬方向変更に鏡を使っているが、同様の機能を持つ光学機器を用いてもよい。
【００４０】
図２Ａ、図２Ｂ、図３Ａ、図３Ｂ、図４Ａ及び図４Ｂにおいてコネクタ１５０の構成例を示したが、コネクタ１５０は、説明した媒質及び方法以外のものを用いて実現してもよい。例えば、シリコン上に光導波路を持たせた平面光回路（Planar Lightwave Circuit：ＰＬＣ）をコネクタとして用いてもよい。
【００４１】
通信システム１００では、送受信ノード１１０の送信装置１１１−１で生成された光信号は、ＭＣＦ２００−１のコア２０１−１と、コネクタ１５０−１とを介してＡｄｄ／Ｄｒｏｐノード１２０−１の受信装置１２２−１で受信される。送信装置１１１−２で生成された光信号は、ＭＣＦ２００−１のコア２０２−１と、コネクタ１５０−１と、ＭＣＦ２００−２のコア２０２−２と、コネクタ１５０−２とを介してＡｄｄ／Ｄｒｏｐノード１２０−２の受信装置１２２−２で受信される。送信装置１１１−３で生成された光信号は、ＭＣＦ２００−１のコア２０３−１と、コネクタ１５０−１と、ＭＣＦ２００−２のコア２０３−２と、コネクタ１５０−２と、ＭＣＦ２００−３のコア２０３−３と、コネクタ１５０−３とを介してＡｄｄ／Ｄｒｏｐノード１２０−３の受信装置１２２−３で受信される。
【００４２】
また、Ａｄｄ／Ｄｒｏｐノード１２０−１の送信装置１２１−１で生成された光信号は、コネクタ１５０−１と、ＭＣＦ２００−２のコア２０１−２と、コネクタ１５０−２と、ＭＣＦ２００−３のコア２０１−３と、コネクタ１５０−３と、ＭＣＦ２００−４のコア２０１−４とを介して送受信ノード１１０の受信装置１１２−１で受信される。Ａｄｄ／Ｄｒｏｐノード１２０−２の送信装置１２１−２で生成された光信号は、コネクタ１５０−２と、ＭＣＦ２００−３のコア２０２−３と、コネクタ１５０−３と、ＭＣＦ２００−４のコア２０２−４とを介して送受信ノード１１０の受信装置１１２−２で受信される。Ａｄｄ／Ｄｒｏｐノード１２０−３の送信装置１２１−３で生成された光信号は、コネクタ１５０−３と、ＭＣＦ２００−４のコア２０３−４を介して送受信ノード１１０の受信装置１１２−３で受信される。
【００４３】
通信システム１００において、送受信ノード１１０は、Ａｄｄ／Ｄｒｏｐノード１２０−１〜１２０−３それぞれとの送受信の通信経路を有している。通信システム１００は、送受信ノード１１０を中心としたスター型の論理トポロジを有する。
【００４４】
例えば図２Ａ、図２Ｂ、図３Ａ、図３Ｂ、図４Ａ及び図４Ｂに示したいずれかのコネクタ１５０を用いて、各ノードでＭＣＦ２００を接続することにより、ＭＣＦ２００に含まれる複数のコアのうち所定のコアに対して光信号のＡｄｄ／Ｄｒｏｐを行うことができる。通信システム１００において、ＭＣＦ２００−ｉとＭＣＦ２００−（ｉ＋１）とをコネクタ１５０−ｉを介して接続することにより、Ａｄｄ／Ｄｒｏｐノード１２０−ｉ宛の光信号の分岐と、送受信ノード１１０宛の光信号の挿入とを容易に行うことができる。光信号のＡｄｄ／Ｄｒｏｐにおいては、多重化された波長の異なる光信号を波長ごとに分ける処理などが不要となるため、各Ａｄｄ／Ｄｒｏｐノード１２０における装置の設置や保守の手間を削減できる。
【００４５】
なお、ＭＣＦ２００が３つのコアを備える場合について説明したが、ＭＣＦ２００が４つ以上のコアを備えてもよい。ＭＣＦ２００が４つ以上のコアを備える場合、Ａｄｄ／Ｄｒｏｐノード１２０において２つ以上のコアに対して光信号をＡｄｄ／Ｄｒｏｐしてもよい。
【００４６】
図５は、本発明の実施形態を適用可能な通信システム１００Ａの構成例を示す図である。通信システム１００Ａは、送受信ノード１１０ａ、１１０ｂと、ｎ台のＡｄｄ／Ｄｒｏｐノード１２０と、を備える。図５には、ｎ＝３の場合における通信システム１００Ａの構成例が示されている。通信システム１００Ａは、両系片方向のリング構成の物理トポロジを有している点が、図１に示す通信システム１００と異なる。
【００４７】
ノード間は、ＭＣＦ２１０−１〜２１０−４で接続されている。送受信ノード１１０ａとＡｄｄ／Ｄｒｏｐノード１２０−１とは、ＭＣＦ２１０−１で接続されている。Ａｄｄ／Ｄｒｏｐノード１２０−１とＡｄｄ／Ｄｒｏｐノード１２０−２とは、ＭＣＦ２１０−２で接続されている。Ａｄｄ／Ｄｒｏｐノード１２０−２とＡｄｄ／Ｄｒｏｐノード１２０−３とは、ＭＣＦ２１０−３で接続されている。Ａｄｄ／Ｄｒｏｐノード１２０−３と送受信ノード１１０ｂとは、ＭＣＦ２１０−４で接続されている。通信システム１００ＡにおけるＭＣＦ２１０−１〜２１０−４は、６つのコア２１１〜２１６を備えている。
【００４８】
通信システム１００Ａの構成についての説明を一般化すると、Ａｄｄ／Ｄｒｏｐノード１２０−ｉ（１≦ｉ≦ｎ−１）は、Ａｄｄ／Ｄｒｏｐノード１２０−（ｉ＋１）とＭＣＦ２１０−（ｉ＋１）を介して接続されている。ＭＣＦ２１０−１は、送受信ノード１１０ａとＡｄｄ／Ｄｒｏｐノード１２０−１とを接続する。ＭＣＦ２１０−（ｎ＋１）は、Ａｄｄ／Ｄｒｏｐノード１２０−ｎと送受信ノード１１０ｂとを接続する。
【００４９】
通信システム１００Ａの各ノードは、ノード間での通信を行う送信装置（Ｔｘ）及び受信装置（Ｒｘ）と、送受信装置（Ｔｘ／Ｒｘ）とのいずれかを備える。送受信ノード１１０ａに対して、送信装置１１１−１〜１１１−３と受信装置１１２−１〜１１２−３とが備えられている。Ａｄｄ／Ｄｒｏｐノード１２０−１に対して、送受信装置１２５−１、１２６−１が備えられている。Ａｄｄ／Ｄｒｏｐノード１２０−２に対して、送受信装置１２５−２、１２６−２が備えられている。Ａｄｄ／Ｄｒｏｐノード１２０−３に対して、送受信装置１２５−３、１２６−３が備えられている。送受信ノード１１０ｂに対して、送信装置１１１−４〜１１１−６と受信装置１１２−４〜１１２−６とが備えられている。なお、図５に示す通信システム１００Ａの構成例では、送受信ノード１１０ａ、１１０ｂに送信装置１１１及び受信装置１１２が備えられ、Ａｄｄ／Ｄｒｏｐノード１２０−１〜１２０−３に送受信装置１２５、１２６が備えられた構成を説明する。しかし、送受信装置１２５、１２６は、その内部に送信装置と受信装置との両者の機能を内包したものであり、送信装置と受信装置とを組み合わせたものと送受信装置とには大きな差分はない。送受信ノード１１０ａ、１１０ｂとＡｄｄ／Ｄｒｏｐノード１２０−１〜１２０−３とにおいて、送信装置及び受信装置と、送受信装置とのいずれが備えられていてもよい。
【００５０】
送信装置１１１−１〜１１１−３は、それぞれＡｄｄ／Ｄｒｏｐノード１２０−１〜１２０−３へ送信する光信号を生成する。送信装置１１１−１〜１１１−３により生成された光信号は、それぞれＭＣＦ２１０−１のコア２１１−１、２１３−１、２１５−１に挿入される。受信装置１１２−１〜１１２−３は、それぞれＡｄｄ／Ｄｒｏｐノード１２０−１〜１２０−３から送受信ノード１１０ａ宛に送信された光信号を受信する。受信装置１１２−１〜１１２−３は、それぞれＭＣＦ２１０−１のコア２１２−１、２１４−１、２１６−１から光信号を受信する。
【００５１】
送信装置１１１−４〜１１１−６は、それぞれＡｄｄ／Ｄｒｏｐノード１２０−１〜１２０−３へ送信する光信号を生成する。送信装置１１１−４〜１１１−６により生成された光信号は、それぞれＭＣＦ２１０−４のコア２１１−４、２１３−４、２１５−４に挿入される。受信装置１１２−４〜１１２−６は、それぞれＡｄｄ／Ｄｒｏｐノード１２０−１〜１２０−３から送受信ノード１１０ｂ宛に送信された光信号を受信する。受信装置１１２−４〜１１２−６は、それぞれＭＣＦ２１０−４のコア２１２−４、２１４−４、２１６−４から光信号を受信する。送受信ノード１１０ａ、１１０ｂにおける、ＭＣＦ２００への光信号の挿入とＭＣＦ２００からの光信号の分岐とには、ファンイン・デバイス又はファンアウト・デバイスが用いられる。
【００５２】
各Ａｄｄ／Ｄｒｏｐノード１２０−ｉ（ｉ＝１，２，３）には、それぞれコネクタ１６０−ｉが備えられている。コネクタ１６０−ｉは、ＭＣＦ２１０−ｉとＭＣＦ２１０−（ｉ＋１）とに接続される。コネクタ１６０−ｉは、送受信ノード１１０ａ、１１０ｂで挿入された光信号のうち自ノードへの光信号をＭＣＦ２１０−ｉ及びＭＣＦ２１０−（ｉ＋１）から分岐する。コネクタ１６０−ｉは、送受信ノード１１０ａ宛の光信号をＭＣＦ２１０−ｉのコアへ挿入する。コネクタ１６０−ｉは、送受信ノード１１０ｂ宛の光信号をＭＣＦ２１０−（ｉ＋１）のコアへ挿入する。
【００５３】
Ａｄｄ／Ｄｒｏｐノード１２０−１において、コネクタ１６０−１は、ＭＣＦ２１０−１のコア２１１−１から自ノードへの光信号を分岐する。コネクタ１６０−１は、分岐した光信号を送受信装置１２５−１へ接続する。また、コネクタ１６０−１は、送受信装置１２５−１により生成された光信号をＭＣＦ２１０−１のコア２１２−１へ挿入する。コア２１２−１へ挿入される光信号は、自ノードから送受信ノード１１０ａへ伝送される光信号である。
【００５４】
更に、コネクタ１６０−１は、ＭＣＦ２１０−２のコア２１１−２から自ノードへの光信号を分岐する。コネクタ１６０−１は、分岐した光信号を送受信装置１２６−１へ接続する。また、コネクタ１６０−１は、送受信装置１２６−１により生成された光信号をＭＣＦ２１０−２のコア２１２−２へ挿入する。コア２１２−２へ挿入される光信号は、自ノードから送受信ノード１１０ｂへ伝送される光信号である。
【００５５】
コネクタ１６０−１は、ＭＣＦ２１０−１のコアのうちコア２１３−１〜２１６−１と、ＭＣＦ２１０−２のコアのうち２１３−２〜２１６−２とをそれぞれ接続する。コネクタ１６０−１は、ＭＣＦ２１０−１とＭＣＦ２１０−２との間において光信号を中継する。コネクタ１６０−１は、光信号をＡｄｄ／Ｄｒｏｐするコア２１１−１、２１２−１、２１１−２、２１２−２以外のコアで伝送される光信号を中継する。
【００５６】
Ａｄｄ／Ｄｒｏｐノード１２０−２において、コネクタ１６０−２は、ＭＣＦ２１０−２のコア２１３−２から自ノードへの光信号を分岐する。コネクタ１６０−２は、分岐した光信号を送受信装置１２５−２へ接続する。また、コネクタ１６０−２は、送受信装置１２５−２により生成された光信号をＭＣＦ２１０−２のコア２１４−２へ挿入する。コア２１４−２へ挿入される光信号は、自ノードから送受信ノード１１０ａへ伝送される光信号である。
【００５７】
更に、コネクタ１６０−２は、ＭＣＦ２１０−３のコア２１３−３から自ノードへの光信号を分岐する。コネクタ１６０−２は、分岐した光信号を送受信装置１２６−２へ接続する。また、コネクタ１６０−２は、送受信装置１２６−２により生成された光信号をＭＣＦ２１０−３のコア２１４−３へ挿入する。コア２１４−３へ挿入される光信号は、自ノードから送受信ノード１１０ｂへ伝送される光信号である。
【００５８】
コネクタ１６０−２は、ＭＣＦ２１０−２のコアのうちコア２１１−２、２１２−２、２１５−２、２１６−２と、ＭＣＦ２１０−３のコアのうちコア２１１−３、２１２−３、２１５−３、２１６−３とをそれぞれ接続する。コネクタ１６０−２は、ＭＣＦ２１０−２とＭＣＦ２１０−３との間において光信号を中継する。コネクタ１６０−２は、光信号をＡｄｄ／Ｄｒｏｐするコア２１３−２、２１４−２、２１３−３、２１４−３以外のコアで伝送される光信号を中継する。
【００５９】
Ａｄｄ／Ｄｒｏｐノード１２０−３において、コネクタ１６０−３は、ＭＣＦ２１０−３のコア２１５−３から自ノードへの光信号を分岐する。コネクタ１６０−３は、分岐した光信号を送受信装置１２６−３へ接続する。また、コネクタ１６０−３は、送受信装置１２６−３により生成された光信号をＭＣＦ２１０−３のコア２１６−３へ挿入する。コア２１６−３へ挿入される光信号は、自ノードから送受信ノード１１０ａへ伝送される光信号である。
【００６０】
更に、コネクタ１６０−３は、ＭＣＦ２１０−４のコア２１５−４から自ノードへの光信号を分岐する。コネクタ１６０−４は、分岐した光信号を送受信装置１２５−３へ接続する。また、コネクタ１６０−３は、送受信装置１２５−３により生成された光信号をＭＣＦ２１０−４のコア２１６−３へ挿入する。コア２１６−４へ挿入される光信号は、自ノードから送受信ノード１１０ｂへ伝送される光信号である。
【００６１】
コネクタ１６０−３は、ＭＣＦ２１０−３のコアのうちコア２１１−３〜２１４−３と、ＭＣＦ２１０−４のコアのうちコア２１１−４〜２１４−４とをそれぞれ接続する。コネクタ１６０−３は、ＭＣＦ２１０−３とＭＣＦ２１０−４との間において光信号を中継する。コネクタ１６０−３は、光信号をＡｄｄ／Ｄｒｏｐするコア２１５−３、２１６−３、２１５−４、２１６−４以外のコアで伝送される光信号を中継する。
【００６２】
通信システム１００Ａに用いられるコネクタ１６０−１〜１６０−３は、図２Ａ、図２Ｂ、図３Ａ、図３Ｂ、図４Ａ及び図４Ｂにおいて示したように細径ファイバや光導波路、光学系などを用いることにより、通信システム１００におけるコネクタ１５０−１〜１５０−３と同様に構成することができる。
【００６３】
通信システム１００Ａでは、送受信ノード１１０ａ、１１０ｂとＡｄｄ／Ｄｒｏｐノード１２０−１〜１２０−３それぞれとの間に送信用の通信経路と受信用の通信経路が形成される。送受信ノード１１０ａ、１１０ｂは、Ａｄｄ／Ｄｒｏｐノード１２０−１〜１２０−３と個別に通信することができる。このように、通信システム１００Ａは、送受信ノード１１０ａ、１１０ｂそれぞれをルートノードとするツリー型の論理トポロジを有している。
【００６４】
Ａｄｄ／Ｄｒｏｐノード１２０−１〜１２０−３は、２つの送受信ノード１１０ａ、１１０ｂとの通信経路のうちいずれか一方を現用系（０系）として利用し、他方を予備系（１系）として利用してもよい。また、Ａｄｄ／Ｄｒｏｐノード１２０−１〜１２０−３は、伝送距離の短い通信経路を０系として利用し、伝送距離の長い通信経路を１系として利用してもよい。Ａｄｄ／Ｄｒｏｐノード１２０−１〜１２０−３では、光信号のＡｄｄ／Ｄｒｏｐにおいて、多重化された波長の異なる光信号を波長ごとに分ける処理などが不要となるので装置の設置や保守の手間を削減できる。
【００６５】
なお、各ＭＣＦ２１０が６つのコア２１１〜２１６を備える場合について説明したが、ＭＣＦ２１０が７つ以上のコアを備えてもよい。ＭＣＦ２１０が７つ以上のコアを備える場合、Ａｄｄ／Ｄｒｏｐノード１２０において２つ以上のコアに対して光信号をＡｄｄ／Ｄｒｏｐしてもよい。
【００６６】
また、送受信ノード１１０ａと送受信ノード１１０ｂとの間を、ＭＣＦ２１０又は７つ以上のコアを備えるＭＣＦを用いて接続してもよい。通信システム１００Ａにおいて、送受信ノード１１０ａ、１１０ｂとＡｄｄ／Ｄｒｏｐノード１２０−１〜１２０−３との役割が変わった場合に、送受信ノード１１０ａ、１１０ｂにコネクタを取り付け、各Ａｄｄ／Ｄｒｏｐノード１２０−１〜１２０−３のコネクタ１５０を他のコネクタ付け替えることで、論理トポロジを容易に変更することができる。これにより、ネットワーク構成の変更に対し柔軟に対応することができる。
【００６７】
図６は、本発明の実施形態を適用可能な通信システム１００Ｃの構成例を示す図である。通信システム１００Ｃは、送受信ノード１１０と、ｎ台のＡｄｄ／Ｄｒｏｐノード１２０と、を備える。図６には、ｎ＝３の場合における通信システム１００Ｃの構成例が示されている。通信システム１００Ｃにおいて、ノード間におけるＭＣＦ２００−１〜２００−４の接続は、通信システム１００における接続と同様である。通信システム１００Ｃでは、送受信ノード１１０から各Ａｄｄ／Ｄｒｏｐノード１２０への通信と、各Ａｄｄ／Ｄｒｏｐノード１２０から送受信ノード１１０への通信とが同一のコアを用いて行われる。伝送方向が異なる光信号を同一のコアで伝送する際には、伝送方向が異なる光信号が互いに及ぼす影響を抑えるために光信号の強度を一定以下にしてもよいし、光信号の波長を伝送方向ごとに異なる波長にしてもよい。通信システム１００Ｃは、片系双方向のリング構成の物理トポロジを有している点が、図１に示す通信システム１００と異なる。
【００６８】
通信システム１００Ｃの各ノードは、ノード間での通信を行う送受信装置（Ｔｘ／Ｒｘ）を備える。送受信ノード１１０には、送受信装置１１３−１〜１１３−３が備えられている。Ａｄｄ／Ｄｒｏｐノード１２０−１〜１２０−３には、送受信装置１２５−１〜１２５−３がそれぞれ備えられている。送受信装置１１３−１〜１１３−３は、それぞれＡｄｄ／Ｄｒｏｐノード１２０−１〜１２０−３へと送信する光信号を生成する。また、送受信装置１１３−１〜１１３−３は、Ａｄｄ／Ｄｒｏｐノード１２０−１〜１２０−３から送信された光信号を受信し、光信号に含まれる情報を取得する。送受信装置１２５−１〜１２５−３は、それぞれ送受信ノード１１０へと送信する光信号を生成する。また、送受信装置１２５−１〜１２５−３は、それぞれ送受信ノード１１０から送信された光信号を受信し、光信号に含まれる情報を取得する。
【００６９】
送受信装置１１３−１〜１１３−３は、それぞれＡｄｄ／Ｄｒｏｐノード１２０−１〜１２０−３へ送信する光信号を生成する。送受信装置１１３−１〜１１３−３により生成された３つの光信号は、それぞれＭＣＦ２００−１のコア２０１−１〜２０３−１に挿入される。また、送受信装置１１３−１〜１１３−３は、それぞれＭＣＦ２００−１のコア２０１−１〜２０３−１を介してＡｄｄ／Ｄｒｏｐノード１２０−１〜１２０−３からの光信号を受信する。ＭＣＦ２００−１への光信号の挿入とＭＣＦ２００−１からの光信号の分岐とには、ファンイン／ファンアウト・デバイスが用いられる。
【００７０】
各Ａｄｄ／Ｄｒｏｐノード１２０−ｉ（ｉ＝１，２，３）には、それぞれコネクタ１８０−ｉが備えられている。コネクタ１８０−ｉは、ＭＣＦ２００−ｉとＭＣＦ２００−（ｉ＋１）とに接続される。コネクタ１８０−ｉは、ＭＣＦ２００−ｉのコア２０ｉ−ｉから光信号を分岐し、分岐した光信号を送受信装置１２５−ｉへ接続する。また、コネクタ１８０−ｉは、送受信装置１２５−ｉにより生成された光信号をＭＣＦ２００−ｉのコア２０ｉ−ｉへ挿入する。送受信装置１２５−ｉにより生成された光信号は、Ａｄｄ／Ｄｒｏｐノード１２０−ｉから送受信ノード１１０へ伝送される光信号である。コネクタ１８０−ｉは、ＭＣＦ２００−ｉのコアとＭＣＦ２００−（ｉ＋１）のコアとのうち、Ａｄｄ／Ｄｒｏｐの対象となるコア以外のコア２０ｉ−ｉとコア２０ｉ−（ｉ＋１）とを接続して光信号を中継する。
【００７１】
送受信ノード１１０とＡｄｄ／Ｄｒｏｐノード１２０−１とは、コア２０１−１により形成される通信経路を用いた双方向の通信を行う。送受信ノード１１０とＡｄｄ／Ｄｒｏｐノード１２０−２とは、コア２０２−１、２０２−２により形成される通信経路を用いた双方向の通信を行う。送受信ノード１１０とＡｄｄ／Ｄｒｏｐノード１２０−３とは、コア２０３−１、２０３−２、２０３−３により形成される通信経路を用いた双方向の通信を行う。ＭＣＦ２００−２のコア２０１−２、ＭＣＦ２００−３のコア２０１−３及びコア２０２−３、ＭＣＦ２００−４のコア２０１−４〜２０３−４は、通信に使用されないコアである。
【００７２】
なお、通信システム１００Ｃにおいて、Ａｄｄ／Ｄｒｏｐノード１２０−３はＭＣＦ２００−４のコア２０１−４を用いた通信を送受信ノード１１０と行うことで、通信経路の短縮を図ってもよい。その場合には、送受信ノード１１０においてＭＣＦ２００−４との接続部にファイン／ファンアウト・デバイスが必要となる。
【００７３】
図７は、本発明の実施形態を適用可能な通信システム１００Ｄの構成例を示す図である。通信システム１００Ｄは、送受信ノード１１０ａ、１１０ｂと、ｎ台のＡｄｄ／Ｄｒｏｐノード１２０と、を備える。図７には、ｎ＝３の場合における通信システム１００Ｄの構成例が示されている。通信システム１００Ｄにおいて、ノード間におけるＭＣＦ２００−１〜２００−４の接続は、通信システム１００ＡにおけるＭＣＦ２１０−１〜２１０−４の接続と同様である。通信システム１００Ｄでは、送受信ノード１１０ａ、１１０ｂから各Ａｄｄ／Ｄｒｏｐノード１２０への通信と、各Ａｄｄ／Ｄｒｏｐノード１２０から送受信ノード１１０ａ、１１０ｂへの通信とが同一のコアを用いて行われる。通信システム１００Ｄは、両系双方向のリング構成の物理トポロジを有する。
【００７４】
通信システム１００Ｄの各ノードは、ノード間での通信を行う送受信装置（Ｔｘ／Ｒｘ）を備える。送受信ノード１１０ａには、送受信装置１１３−１〜１１３−３が備えられている。送受信ノード１１０ｂには、送受信装置１１３−４〜１１３−６が備えられている。Ａｄｄ／Ｄｒｏｐノード１２０−１〜１２０−３には、送受信装置１２５−１〜１２５−３、１２６−１〜１２６−３がそれぞれ備えられている。送受信装置１１３−１〜１１３−６は、それぞれＡｄｄ／Ｄｒｏｐノード１２０−１〜１２０−３へ送信する光信号を生成する。送受信装置１２５−１〜１２５−３は、送受信ノード１１０ａへ送信する光信号を生成する。送受信装置１２６−１〜１２６−３は、送受信ノード１１０ｂへ送信する光信号を生成する。また、送受信装置１１３−１〜１１３−６は、Ａｄｄ／Ｄｒｏｐノード１２０−１〜１２０−３それぞれから送信される光信号を受信し、光信号に含まれる情報を取得する。送受信装置１２５−１〜１２５−３は、送受信ノード１１０ａから送信されられる光信号を受信し、光信号に含まれる情報を取得する。送受信装置１２６−１〜１２６−３は、送受信ノード１１０ｂから送信される光信号を受信し、光信号に含まれる情報を取得する。
【００７５】
送受信ノード１１０ａにおいて、送受信装置１１３−１〜１１３−３は、それぞれＡｄｄ／Ｄｒｏｐノード１２０−１〜１２０−３へ送信する光信号を生成する。送受信装置１１３−１〜１１３−３により生成された３つの光信号は、それぞれＭＣＦ２００−１のコア２０１−１〜２０３−１に挿入される。また、送受信装置１１３−１〜１１３−３は、それぞれＭＣＦ２００−１のコア２０１−１〜２０３−１を介してＡｄｄ／Ｄｒｏｐノード１２０−１〜１２０−３からの光信号を受信する。ＭＣＦ２００−１への光信号の挿入とＭＣＦ２００−１からの光信号の分岐とには、ファンイン／ファンアウト・デバイスが用いられる。
【００７６】
送受信ノード１１０ｂにおいて、送受信装置１１３−４〜１１３−６は、それぞれＡｄｄ／Ｄｒｏｐノード１２０−１〜１２０−３へ送信する光信号を生成する。送受信装置１１３−４〜１１３−６により生成された３つの光信号は、それぞれＭＣＦ２００−４のコア２０１−４〜２０３−４に挿入される。また、送受信装置１１３−４〜１１３−６は、それぞれＭＣＦ２００−４のコア２０１−４〜２０３−４を介してＡｄｄ／Ｄｒｏｐノード１２０−１〜１２０−３からの光信号を受信する。ＭＣＦ２００−４への光信号の挿入とＭＣＦ２００−４からの光信号の分岐とには、送受信ノード１１０ａと同様に、ファンイン／ファンアウト・デバイスが用いられる。
【００７７】
Ａｄｄ／Ｄｒｏｐノード１２０−ｉ（ｉ＝１，２，３）それぞれには、コネクタ１８５−ｉが備えられている。コネクタ１８５−ｉは、ＭＣＦ２００−ｉとＭＣＦ２００−（ｉ＋１）とに接続される。コネクタ１８５−ｉは、ＭＣＦ２００−ｉのコア２０ｉ−ｉから光信号を分岐し、分岐した光信号を送受信装置１２５−ｉへ接続する。コネクタ１８５−ｉは、送受信装置１２５−ｉにより生成された光信号をＭＣＦ２００−ｉのコア２０ｉ−ｉへ挿入する。送受信装置１２５−ｉにより生成された光信号は、Ａｄｄ／Ｄｒｏｐノード１２０−ｉから送受信ノード１１０ａへ伝送される光信号である。
【００７８】
また、コネクタ１８５−ｉは、ＭＣＦ２００−（ｉ＋１）のコア２０ｉ−（ｉ＋１）から光信号を分岐し、分岐した光信号を送受信装置１２６−ｉへ接続する。コネクタ１８５−ｉは、送受信装置１２６−ｉにより生成された光信号をＭＣＦ２００−（ｉ＋１）のコア２０ｉ−（ｉ＋１）へ挿入する。送受信装置１２６−ｉにより生成された光信号は、Ａｄｄ／Ｄｒｏｐノード１２０−ｉから送受信ノード１１０ｂへ伝送される光信号である。
【００７９】
また、コネクタ１８５−ｉは、ＭＣＦ２００−ｉのコアとＭＣＦ２００−（ｉ＋１）のコアとのうち、Ａｄｄ／Ｄｒｏｐの対象となるコア以外のコア２０ｉ−ｉとコア２０ｉ−（ｉ＋１）とを接続して光信号を中継する。
【００８０】
送受信ノード１１０ａとＡｄｄ／Ｄｒｏｐノード１２０−１とは、コア２０１−１により形成される通信経路を用いた双方向の通信を行う。送受信ノード１１０ａとＡｄｄ／Ｄｒｏｐノード１２０−２とは、コア２０２−１、２０２−２により形成される通信経路を用いた双方向の通信を行う。送受信ノード１１０ａとＡｄｄ／Ｄｒｏｐノード１２０−３とは、コア２０３−１、２０３−２、２０３−３により形成される通信経路を用いた双方向の通信を行う。
【００８１】
送受信ノード１１０ｂとＡｄｄ／Ｄｒｏｐノード１２０−１とは、コア２０１−４、２０１−３、２０１−２により形成される通信経路を用いた双方向通信を行う。送受信ノード１１０ｂとＡｄｄ／Ｄｒｏｐノード１２０−２とは、コア２０２−４、２０２−３により形成される通信経路を用いた双方向通信を行う。送受信ノード１１０ｂとＡｄｄ／Ｄｒｏｐノード１２０−３とは、コア２０３−４により形成される通信経路を用いた双方向通信を行う。
【００８２】
このように、通信システム１００Ｄは、送受信ノード１１０ａ、１１０ｂそれぞれをルートノードとしてＡｄｄ／Ｄｒｏｐノード１２０−１〜１２０−３それぞれと通信可能なツリー型の論理トポロジを有する。通信システム１００Ｄでは、Ａｄｄ／Ｄｒｏｐノード１２０−１〜１２０−３は、それぞれ送受信ノード１１０ａ、１１０ｂと通信を行うことができる。Ａｄｄ／Ｄｒｏｐノード１２０−１〜１２０−３は、２つの送受信ノード１１０ａ、１１０ｂとの通信経路のうちいずれか一方を現用系（０系）として利用し、他方を予備系（１系）として利用してもよい。また、Ａｄｄ／Ｄｒｏｐノード１２０−１〜１２０−３は、伝送距離の短い通信経路を０系として利用し、伝送距離の長い通信経路を１系として利用してもよい。
【００８３】
なお、通信システム１００Ｄにおいて、送受信ノード１１０ａと送受信ノード１１０ｂとの間をＭＣＦ２００や、４つ以上のコアを備えるＭＣＦを用いて接続してもよい。通信システム１００Ｄにおいて、送受信ノード１１０ａ、１１０ｂとＡｄｄ／Ｄｒｏｐノード１２０−１〜１２０−３との役割が変わった場合に、送受信ノード１１０ａ、１１０ｂにコネクタを取り付け、各Ａｄｄ／Ｄｒｏｐノード１２０−１〜１２０−３のコネクタ１８５を他のコネクタ付け替えることで、論理トポロジを容易に変更することができる。これにより、ネットワーク構成の変更に対し柔軟に対応することができる。
【００８４】
本発明の実施形態を適用可能な通信システムとして、４つの通信システム１００、１００Ａ、１００Ｃ、１００Ｄを説明した。各通信システムでは、ノード間の接続にＭＣＦを用いる構成を説明した。しかし、ノード間の接続の一つ又は複数にＳＣＦ（Single Core Fiber）が用いられた通信システムに対して、各実施形態において説明する光給電方法を適用してもよい。ノード間の接続にＳＣＦが用いられる場合、ＭＣＦと複数のＳＣＦとを接続する変換コネクタ、又はコネクタと複数のＳＣＦとを接続する変換コネクタが用いられる。
【００８５】
図８は、図１に示した通信システム１００において、Ａｄｄ／Ｄｒｏｐノード１２０−１とＡｄｄ／Ｄｒｏｐノード１２０−２との接続の一部に複数のＳＣＦ４５１、４５２、４５３を用いる第１の構成例を示すブロック図である。コネクタ１５０−１に接続されたＭＣＦ２００−２１と、コネクタ１５０−２に接続されたＭＣＦ２００−２２との間にＳＣＦ４５１、４５２、４５３が用いられている。
【００８６】
ＭＣＦ２００−２１とＳＣＦ４５１〜４５３との接続には変換コネクタ４００−１が用いられている。変換コネクタ４００−１は、ＭＣＦ２００−２１のコア２０１−２１、２０２−２１、２０３−２１と、ＳＣＦ４５１、４５２、４５３とをそれぞれ接続する。ＭＣＦ２００−２２とＳＣＦ４５１〜４５３との接続には変換コネクタ４００−２が用いられている。変換コネクタ４００−２は、ＭＣＦ２００−２２のコア２０１−２２、２０２−２２、２０３−２２と、ＳＣＦ４５１、４５２、４５３とをそれぞれ接続する。
【００８７】
変換コネクタ４００−１、４００−２は、ファンイン・デバイス又はファンアウト・デバイスと同じ構成を有している。変換コネクタ４００−１、４００−２を用いることにより、ノード間の接続における一部区間にＳＣＦを用いることができる。
【００８８】
図９は、図１に示した通信システム１００において、Ａｄｄ／Ｄｒｏｐノード１２０−１とＡｄｄ／Ｄｒｏｐノード１２０−２との接続に複数のＳＣＦ４５１、４５２、４５３を用いる第２の構成例を示すブロック図である。コネクタ１５０−１とコネクタ１５０−２との接続にＳＣＦ４５１、４５２、４５３が用いられている。図９に示す構成例は、Ａｄｄ／Ｄｒｏｐノード１２０−１、１２０−２間の接続にＭＣＦが用いられていない構成が図８に示した構成例と異なる。
【００８９】
Ａｄｄ／Ｄｒｏｐノード１２０−１は、更に変換コネクタ４１０−１を備える。コネクタ１５０−１のＡｄｄ／Ｄｒｏｐノード１２０−２側に変換コネクタ４１０−１が取り付けられる。Ａｄｄ／Ｄｒｏｐノード１２０−２は、更に変換コネクタ４１０−２を備える。コネクタ１５０−２のＡｄｄ／Ｄｒｏｐノード１２０−１側に変換コネクタ４１０−２が取り付けられる。ＭＣＦ２００が有するコア数と同数のＳＣＦ４５１〜４５３が、変換コネクタ４１０−１、４１０−２間の接続に用いられる。
【００９０】
変換コネクタ４１０−１は、ＳＣＦ４５１、４５２、４５３とコネクタ１５０−１とを接続する。コネクタ１５０−１は、ＭＣＦ２００−２に代えて、変換コネクタ４１０−１と光信号の入出力を行う。コネクタ１５０−１は、変換コネクタ４１０−１を介して、ＭＣＦ２００−１のコア２０２−１、２０３−１とＳＣＦ４５２、４５３とをそれぞれ接続する。変換コネクタ４１０−１は、コネクタ１５０−１を介して、送信装置１２１−１が生成した光信号をＳＣＦ４５１へ挿入する。
【００９１】
変換コネクタ４１０−２は、ＳＣＦ４５１、４５２、４５３とコネクタ１５０−２とを接続する。コネクタ１５０−２は、ＭＣＦ２００−２に代えて、変換コネクタ４１０−２と光信号の入出力を行う。コネクタ１５０−２は、変換コネクタ４１０−２を介して、ＳＣＦ４５１、４５３とＭＣＦ２００−３のコア２０１−３、２０３−３とをそれぞれ接続する。コネクタ１５０−２は、変換コネクタ４１０−２を介して、ＳＣＦ４５３から分岐した光信号を受信装置１２２−２へ接続する。
【００９２】
変換コネクタ４１０−１、４１０−２は、ファンイン・デバイス又はファンアウト・デバイスと同じ構成を有している。変換コネクタ４１０−１、４１０−２を用いることにより、ノード間の接続にＳＣＦを用いることができる。
【００９３】
図８及び図９では、３つコアを有するＭＣＦ２００に代えてＳＣＦを用いてノード間を接続する構成例を示した。２つ又は４つ以上のコアを有するＭＣＦに代えてＳＣＦをノード間の接続に用いてもよい。この場合においても、同様に、変換コネクタが用いられる。
【００９４】
図８及び図９では、図１に示した通信システム１００におけるＡｄｄ／Ｄｒｏｐノード１２０−１、１２０−２間の接続にＳＣＦを用いる例を示した。他のノード間の接続にもＳＣＦを用いてもよい。この場合、一つのノード間の接続に変換コネクタ４００を用い、他のノード間の接続に変換コネクタ４１０を用いてもよい。また、一つのノード間の接続に、ＭＣＦとＳＣＦとを接続する変換コネクタ４００と、コネクタ１５０に接続する変換コネクタ４１０とを組み合わせて用いてもよい。例えば、Ａｄｄ／Ｄｒｏｐノード１２０−１において変換コネクタ４００が用いられ、Ａｄｄ／Ｄｒｏｐノード１２０−２において変換コネクタ４１０が用いられてもよい。
【００９５】
一つのノード間の接続において、ＭＣＦとＳＣＦとの変換が複数回行われてもよい。例えば、Ａｄｄ／Ｄｒｏｐノード１２０−１、１２０−２との間の接続において、ＭＣＦ、ＳＣＦ、ＭＣＦ、ＳＣＦ、ＭＣＦの順でＭＣＦとＳＣＦとが用いられてもよい。この場合、ＭＣＦとＳＣＦとの間それぞれに変換コネクタが用いられる。
【００９６】
また、図９において説明した、コネクタ１５０−１と変換コネクタ４１０−１とが１つのコネクタとして構成されてもよい。同様に、コネクタ１５０−２と変換コネクタ４１０−２とが１つのコネクタとして構成されてもよい。すなわち、ＭＣＦと複数のＳＣＦとに接続されるコネクタが、ＭＣＦ又はＳＣＦに対して光信号のＡＤＤ／Ｄｒｏｐを行うとともに、ＭＣＦとＳＣＦとの間における光信号の中継を行ってもよい。
【００９７】
以上説明したように、図１に示した通信システム１００及び他の通信システムにおけるノード間の接続のうち一つ又は複数に、ＳＣＦが用いられてもよい。
【００９８】
以下に本発明の各実施形態を説明する。
［第１の実施形態］
第１の実施形態は、ＭＣＦ（マルチコアファイバ）が有する複数のコアを通信用と給電用に分けて使用するコア占有型の光給電システムである。
【００９９】
図１０は、第１の実施形態によるコア占有型の光給電システム５００の構成例を示す図である。光給電システム５００は、ＭＣＦ６００により接続されるノード５１０ａとノード５１０ｂとを備えて構成される。
【０１００】
ノード５１０ａは、例えば、上述した本実施形態を適用可能な通信システムの送受信ノード又はＡｄｄ／Ｄｒｏｐノード、あるいは、上述した本実施形態を適用可能な通信システムのノード間に設置される中継ノードである。ノード５１０ｂは、例えば、上述した本実施形態を適用可能な通信システムのＡｄｄ／Ｄｒｏｐノード、又は、上述した本実施形態を適用可能な通信システムのノード間に設置される中継ノードであるが、送受信ノードであってもよい。同図では、ノード５１０ａ及びノード５１０ｂがＡｄｄ／Ｄｒｏｐノードである場合を示している。なお、ノード５１０ａ及びノード５１０ｂが、上述した通信システムとは異なるトポロジの通信システムを構成するノードであってもよい。また、同図では、ノード５１０ａが、ノード５１０ｂとは異なる方向に隣接する他のノードともＭＣＦ６００により接続されている場合を示しているが、他のノードと接続されていなくてもよい。また、同図では、ノード５１０ｂが、ノード５１０ａとは異なる方向に隣接する他のノードともＭＣＦ６００により接続されている場合を示しているが、他のノードと接続されていなくてもよい。
【０１０１】
以下では、ノード５１０ｂとは異なる方向に隣接する他のノードとノード５１０ａとを接続するＭＣＦ６００を６００−ｘａと記載する。ノード５１０ａとノード５１０ｂとを接続するＭＣＦ６００をＭＣＦ６００−ａｂと記載する。ノード５１０ａとは異なる方向に隣接する他のノードとノード５１０ｂとを接続するＭＣＦ６００を６００−ｂｘと記載する。
また、以下では、第１の方向に隣接する第１のノードとの間のＭＣＦを、「第１の方向側のＭＣＦ」と記載する。第２の方向に隣接する第２のノードとの間のＭＣＦを、「第２の方向側のＭＣＦ」と記載する。第２の方向は、第１の方向とは異なる方向である。「第１の方向側」、「第２の方向側」は、ノードの両側にＭＣＦが接続されている場合に、いずれのＭＣＦであるかを示すものであり、信号の伝送方向を表すものではない。
【０１０２】
ＭＣＦ６００は、複数本の信号伝送用コア６０１と１本の光給電用コア６０２とを有する。信号伝送用コア６０１は通信信号伝送用の光である光信号を伝送する。光給電用コア６０２は給電用の光である給電用レーザー光を伝送する。光信号と給電用レーザー光とは波長が同じでもよく、異なっていてもよい。
【０１０３】
ノード５１０ａは、ＭＣＦコネクタ７１０（コア接続部）、給電用レーザー７２０、及び、送信側給電用コネクタ７３０（給電光接続部）を備える。ノード５１０ａが備えるＭＣＦコネクタ７１０を、ＭＣＦコネクタ７１０ａと記載する。
【０１０４】
ＭＣＦコネクタ７１０ａは、ＭＣＦ６００−ｘａ又は送信側給電用コネクタ７３０から自ノードに割り当てられた信号伝送用コア６０１により伝送された光信号を分岐する。また、ＭＣＦコネクタ７１０ａは、宛先のノードに割り当てられた信号伝送用コア６０１により伝送される光信号をＭＣＦ６００−ｘａ又は送信側給電用コネクタ７３０に挿入する。ＭＣＦコネクタ７１０ａは、ＭＣＦ６００−ｘａと送信側給電用コネクタ７３０との間で、自ノードにてＡｄｄ／Ｄｒｏｐを行わない信号伝送用コア６０１により伝送された光信号を中継する。さらに、ＭＣＦコネクタ７１０ａは、送信側給電用コネクタ７３０により挿入された給電用レーザー光をＭＣＦ６００−ｘａの光給電用コア６０２に中継する。ノード５１０ａが中継ノードである場合、ＭＣＦコネクタ７１０ａは、信号伝送用コア６０１により伝送された全ての光信号を中継する。
【０１０５】
給電用レーザー７２０は、給電用レーザー光を送信側給電用コネクタ７３０に入力する。送信側給電用コネクタ７３０は、給電用レーザー７２０が出力した給電用レーザー光を、ＭＣＦ６００−ａｂの光給電用コア６０２に接続する。給電用レーザー光の波長は、光信号の波長帯に含まれてもよく、含まれなくてもよい。送信側給電用コネクタ７３０は、さらに、ＭＣＦ６００−ｘａの光給電用コア６０２により伝送される給電用レーザー光をＭＣＦコネクタ７１０ａに接続してもよい。この場合、ノード５１０ａは、給電用レーザー７２０を複数備えてもよい。また、送信側給電用コネクタ７３０は、ＭＣＦコネクタ７１０ａとＭＣＦ６００−ａｂの信号伝送用コア６０１との間で光信号を中継する。
【０１０６】
ノード５１０ｂは、ＭＣＦコネクタ７１０、受信側給電用コネクタ７４０（給電光分岐部）、光電気変換部７５０、及び、給電対象設備７６０を備える。ノード５１０ｂが備えるＭＣＦコネクタ７１０を、ＭＣＦコネクタ７１０ｂと記載する。
【０１０７】
ＭＣＦコネクタ７１０ｂは、ＭＣＦ６００−ｂｘ又は受信側給電用コネクタ７４０から、自ノードに割り当てられた信号伝送用コア６０１により伝送された光信号を分岐する。また、ＭＣＦコネクタ７１０ｂは、自ノードから宛先のノードへの伝送に割り当てられた信号伝送用コア６０１により伝送する光信号をＭＣＦ６００−ｂｘ又は受信側給電用コネクタ７４０に挿入する。ＭＣＦコネクタ７１０ｂは、受信側給電用コネクタ７４０とＭＣＦ６００−ｂｘとの間で、自ノードにてＡｄｄ／Ｄｒｏｐを行わない信号伝送用コア６０１により伝送された光信号を中継する。さらに、ＭＣＦコネクタ７１０ｂは、ＭＣＦ６００−ｂｘの光給電用コア６０２からの給電用レーザー光を受信側給電用コネクタ７４０に中継する。ノード５１０ｂが中継ノードである場合、ＭＣＦコネクタ７１０ｂは、信号伝送用コア６０１により伝送された全ての光信号を中継する。
【０１０８】
受信側給電用コネクタ７４０は、ＭＣＦ６００−ａｂの光給電用コア６０２により伝送された給電用レーザー光を分岐し、給電用レーザー光を光電気変換部７５０に接続する。受信側給電用コネクタ７４０は、さらに、ＭＣＦ６００−ｂｘの光給電用コア６０２により伝送された給電用レーザー光をＭＣＦコネクタ７１０ｂから分岐し、給電用レーザー光を光電気変換部７５０に接続してもよい。この場合、ノード５１０ｂは、光電気変換部７５０を複数備えてもよい。また、受信側給電用コネクタ７４０は、ＭＣＦコネクタ７１０ｂとＭＣＦ６００−ａｂの信号伝送用コア６０１との間で光信号を中継する。
【０１０９】
光電気変換部７５０は、入力された給電用レーザー光を電気に変換し、変換により得られた電気を給電対象設備７６０に供給する。給電対象設備７６０は、光電気変換部７５０から供給された電力により動作する。給電対象設備７６０は、例えば、センサや伝送装置であるが、これらに限定されない。例えば、給電対象設備７６０がセンサなどである場合、センサにより得られた検出結果を示す出力データを含む光信号がＭＣＦコネクタ７１０ｂに入力され、出力データが宛先のノードに送信される。また、給電対象設備７６０が伝送装置である場合、この伝送装置は、ＭＣＦコネクタ７１０ｂや受信側給電用コネクタ７４０、ＭＣＦコネクタ７１０ｂとの間で光信号を送受信するための装置などを含むノード５１０ｂの一部又は全ての伝送装置であってもよい。
【０１１０】
なお、ＭＣＦコネクタ７１０ａと送信側給電用コネクタ７３０とが、両者の機能を満たす一体のコネクタであってもよい。同様に、ＭＣＦコネクタ７１０ｂと受信側給電用コネクタ７４０とが、両者の機能を満たす一体のコネクタであってもよい。
【０１１１】
また、送信側給電用コネクタ７３０は、給電用レーザー７２０を内蔵した構成でもよい。その場合、給電用レーザー光の光入力の代わりに、給電用レーザーを駆動するための電気が送信側給電用コネクタ７３０に入力される。送信側給電用コネクタ７３０に内蔵される給電用レーザー７２０は、入力された電気を給電用レーザー光に変換する。
また、受信側給電用コネクタ７４０が、光電気変換部７５０を内蔵した構成でもよい。その場合、受信側給電用コネクタ７４０は、光電気変換部７５０が給電用レーザー光から変換した電気を出力する。
【０１１２】
図１１は、ＭＣＦ６００の断面図である。図１１の左図に示すように、ＭＣＦ６００の断面は円形である。なお、ＭＣＦ６００の断面形状は円形以外でもよい。ＭＣＦ６００の内部には、同心円上に等間隔で複数のコアが配置されているが、コアの配置は任意とすることができる。複数のコアのうち、ｎ本（ｎは１以上の整数）が信号伝送用コア６０１であり、１本が光給電用コア６０２である。なお、信号伝送用コア６０１と光給電用コア６０２とを図１１の右図のように縦に並べて図示する際の並び順は、必ずしもＭＣＦ６００における信号伝送用コア６０１及び光給電用コア６０２の配置を表すものではない。また、ｎ本の信号伝送用コア６０１のうち、使用されない一部の信号伝送用コア６０１の記載を省略し、使用される信号伝送用コア６０１を抜き出して記載する。
【０１１３】
光給電用コア６０２は、信号伝送用コア６０１と同じコアでもよく、ハイパワー伝送可能なコアなど、光給電に特化したコアとしてもよい。光給電に特化したコアとは、例えば、コア径を広くするなど、より高いパワーの光を低損失で伝送可能な構成のコアである。また、光給電用コア６０２の有効断面積を、信号伝送用コア６０１の有効断面積より拡大してもよい。有効断面積を拡大するために、光給電用コア６０２のコア径を大きくしたり、トレンチ型の屈折率分布を有するようにするなどの公知の技術を適用してもよい。
【０１１４】
図１２は、送信側給電用コネクタ７３０の構成例を示す図である。同図に示す送信側給電用コネクタ７３０は、第１の方向側に接続されるＭＣＦ６００と第２の方向側に接続されるＭＣＦ６００との両方に給電用レーザー光を供給する。
送信側給電用コネクタ７３０は、ｎ本の信号用伝送路７３１及び２本の給電用伝送路７３２を有する。信号用伝送路７３１及び給電用伝送路７３２には、図２Ａ、図２Ｂ、図３Ａ、図３Ｂ、図４Ａ及び図４Ｂにおいて示したように細径ファイバや光導波路、光学系などを用いることができる。
【０１１５】
送信側給電用コネクタ７３０は、信号用伝送路７３１により、第１の方向側に接続されるＭＣＦ６００の信号伝送用コア６０１と第２の方向側に接続されるＭＣＦ６００の信号伝送用コア６０１との間で光信号を中継する。信号用伝送路７３１は、直接、あるいは、ＭＣＦコネクタ７１０ａを介して、信号伝送用コア６０１と接続される。
送信側給電用コネクタ７３０は、給電用伝送路７３２により、第１の方向側に接続されるＭＣＦ６００の光給電用コア６０２又は第２の方向側に接続されるＭＣＦ６００の光給電用コア６０２に、給電用レーザー７２０から出力される給電用レーザー光を接続する。給電用伝送路７３２は、直接、あるいは、ＭＣＦコネクタ７１０ａを介して、光給電用コア６０２と接続される。なお、送信側給電用コネクタ７３０は、第１の方向側のみに、あるいは、第２の方向側のみに、給電用レーザー光を接続してもよい。その場合、送信側給電用コネクタ７３０は、給電用伝送路７３２を第１の方向側のみに、あるいは、第２の方向側のみに持つ構成でもよい。
【０１１６】
図１３は、受信側給電用コネクタ７４０の構成例を示す図である。同図に示す受信側給電用コネクタ７４０は、第１の方向側に接続されるＭＣＦ６００と第２の方向側に接続されるＭＣＦ６００との両方から、給電用レーザー光を分岐する。
受信側給電用コネクタ７４０は、ｎ本の信号用伝送路７４１及び２本の給電用伝送路７４２を有する。信号用伝送路７４１及び給電用伝送路７４２には、図２Ａ、図２Ｂ、図３Ａ、図３Ｂ、図４Ａ及び図４Ｂにおいて示したように細径ファイバや光導波路、光学系などを用いることができる。
【０１１７】
受信側給電用コネクタ７４０は、信号用伝送路７４１により、第１の方向側に接続されるＭＣＦ６００の信号伝送用コア６０１と第２の方向側に接続されるＭＣＦ６００の信号伝送用コア６０１との間で光信号を中継する。信号用伝送路７４１は、直接、あるいは、ＭＣＦコネクタ７１０ｂを介して、ＭＣＦ６００の信号伝送用コア６０１と接続される。
受信側給電用コネクタ７４０は、第１の方向側に接続されるＭＣＦ６００の光給電用コア６０２又は第２の方向側に接続されるＭＣＦ６００の光給電用コア６０２により伝送された給電用レーザー光を分岐する。受信側給電用コネクタ７４０は、給電用レーザー光を給電用伝送路７４２により光電気変換部７５０に接続する。給電用伝送路７４２は、直接、あるいは、ＭＣＦコネクタ７１０ｂを介して、光給電用コア６０２と接続される。なお、受信側給電用コネクタ７４０は、第１の方向側の光給電用コア６０２のみから、あるいは、第２の方向側の光給電用コア６０２のみから、給電用レーザー光を分岐してもよい。その場合、受信側給電用コネクタ７４０は、給電用伝送路７４２を第１の方向側のみに、あるいは、第２の方向側のみに持つ構成でもよい。
【０１１８】
上記構成により、光給電システム５００において、ノード５１０ａの送信側給電用コネクタ７３０は、給電用レーザー７２０が出力する給電用レーザー光をＭＣＦ６００−ａｂの光給電用コア６０２に接続する。ノード５１０ｂの受信側給電用コネクタ７４０は、ＭＣＦ６００−ａｂの光給電用コア６０２から給電用レーザー光を分岐し、給電用レーザー光を光電気変換部７５０に接続する。光電気変換部７５０は、給電用レーザー光を電気に変換し、電気を給電対象設備７６０に供給する。給電用レーザー光の伝送と独立に、ＭＣＦ６００の信号伝送用コア６０１は、光信号を伝送する。ＭＣＦコネクタ７１０ａ、７１０ｂは、自ノードに割り当てられた信号伝送用コア６０１により伝送された光信号を分岐する。ＭＣＦコネクタ７１０ａ、７１０ｂは、宛先のノードに割り当てられた光信号を信号伝送用コア６０１に挿入する。ＭＣＦコネクタ７１０ａ、７１０ｂは、他の信号伝送用コア６０１により伝送された光信号を中継する。
【０１１９】
なお、給電用レーザー光の伝送中に他のノードを経由してもよい。
図１４は、ノード５１０ａとノード５１０ｂとの間に、ノード５１０ｃが設置された光給電システム５０１の構成例を示す図である。同図において、図１０に示す光給電システム５００と同一の部分には同一の符号を付し、その説明を省略する。ノード５１０ａとノード５１０ｃとの間、及び、ノード５１０ｃとノード５１０ｂとの間は、ＭＣＦ６００によりそれぞれ接続される。ノード５１０ａとノード５１０ｃとの間を接続するＭＣＦ６００をＭＣＦ６００−ａｃと記載する。ノード５１０ｃとノード５１０ｂとの間を接続するＭＣＦ６００をＭＣＦ６００−ｃｂと記載する。
ノード５１０ｃは、例えば、上述した通信システムの送受信ノード又はＡｄｄ／Ｄｒｏｐノード、あるいは、上述した通信システムのノード間に設置される中継ノードである。同図では、ノード５１０ｃが中継ノードである場合を例に示している。
【０１２０】
ノード５１０ｃは、ＭＣＦコネクタ７１０ｃを備える。ＭＣＦコネクタ７１０ｃは、自ノードに割り当てられた信号伝送用コア６０１により伝送された光信号を分岐する。ＭＣＦコネクタ７１０ｃは、自ノードから宛先のノードへの伝送に割り当てられた信号伝送用コア６０１に光信号を挿入する。コネクタ７１０ｃは、他の信号伝送用コア６０１の光信号を中継する。さらに、ＭＣＦコネクタ７１０ｃは、ＭＣＦ６００−ａｃの光給電用コア６０２からＭＣＦ６００−ｃｂの光給電用コア６０２に給電用レーザー光を中継する。ノード５１０ｃが中継ノードである場合、ＭＣＦコネクタ７１０ｃは、光信号の中継と給電用レーザー光の中継のみを行う。
ノード５１０ａ及びノード５１０ｂの動作は、光給電システム５００のノード５１０ａ及びノード５１０ｂの動作と同様である。
【０１２１】
また、送信側給電用コネクタ７３０、受信側給電用コネクタ７４０、及び、ＭＣＦが対応していれば、途中で光給電用コア６０２がＭＣＦ６００中の別のコアになってもよい。
図１５は、ノード５１０ａとノード５１０ｂとの間に、ノード５１０ｄが設置された光給電システム５０２の構成例を示す図である。同図において、図１０に示す光給電システム５００と同一の部分には同一の符号を付し、その説明を省略する。ノード５１０ａとノード５１０ｄとの間、及び、ノード５１０ｂとノード５１０ｄとの間はＭＣＦ６００によりそれぞれ接続される。ノード５１０ａとノード５１０ｄとの間を接続するＭＣＦ６００をＭＣＦ６００−ａｄと記載する。ノード５１０ｄとノード５１０ｂとの間のＭＣＦ６００をＭＣＦ６００−ｄｂと記載する。
ノード５１０ｄは、例えば、上述した通信システムの送受信ノード又はＡｄｄ／Ｄｒｏｐノード、あるいは、上述した通信システムのノード間に設置される中継ノードである。同図では、ノード５１０ｄが中継ノードである場合を例に示している。
【０１２２】
ノード５１０ｄは、ＭＣＦコネクタ７１０ｄを備える。ＭＣＦコネクタ７１０ｄは、ＭＣＦコネクタ７１０ｃと同様の処理を行う。ただし、ＭＣＦ６００−ａｄとＭＣＦ６００−ｄｂとでは、各ノードに対応する信号伝送用コア６０１の位置及び光給電用コア６０２の位置が異なる。そこで、ＭＣＦコネクタ７１０ｄは、ＭＣＦ６００−ａｄとＭＣＦ６００−ｄｂとの間で、同一の送信先ノード及び宛先ノードに割り当てられた信号伝送用コア６０１同士が接続され、光給電用コア６０２同士が接続されるように中継を行う。
【０１２３】
また、ＭＣＦ中に光給電用コアが複数あってもよい。
図１６は、複数の光給電用コアを用いる光給電システム５０３の構成例を示す図である。同図において、図１０に示す光給電システム５００と同一の部分には同一の符号を付し、その説明を省略する。光給電システム５０３は、ＭＣＦ６１０により接続されるノード５１０ａとノード５１０ｂとを備えて構成される。ＭＣＦ６１０は、１本以上の信号伝送用コア６０１と複数本の光給電用コア６０２とを有する。以下では、ノード５１０ｂとは異なる方向に隣接する他のノードとノード５１０ａとを接続するＭＣＦ６１０を６１０−ｘａと記載する。ノード５１０ａとノード５１０ｂとを接続するＭＣＦ６１０をＭＣＦ６１０−ａｂと記載する。ノード５１０ａとは異なる方向に隣接する他のノードとノード５１０ｂとを接続するＭＣＦ６１０を６１０−ｂｘと記載する。
【０１２４】
光給電用コア６０２が伝送可能な光パワーには上限がある。例えば、上限を超える光パワーをＭＣＦ中に入射した場合、ファイバヒューズと呼ばれる現象で物理的に光給電用コアが破壊される恐れがある。そのため、１コアの上限を超える光パワーの給電用レーザー光を送る場合には、複数の光給電用コアを用いる必要がある。なお、一般的なＳＭＦ（シングルモードファイバ）を用いた場合に安全に伝送可能な光パワーは１Ｗ程度であることが知られている。
【０１２５】
ノード５１０ａは、図１０に示す送信側給電用コネクタ７３０に代えて、送信側給電用コネクタ８３０を備える。
送信側給電用コネクタ８３０は、給電用レーザー７２０が出力した給電用レーザー光を、ＭＣＦ６１０−ａｂの光給電用コア６０２又はＭＣＦコネクタ７１０ａに接続する。同図では、送信側給電用コネクタ８３０は、ＭＣＦ６１０−ａｂの２本の光給電用コア６０２に給電用レーザー光を接続し、ＭＣＦ６１０−ｘａの１本の光給電用コア６０２により伝送される給電用レーザー光をＭＣＦコネクタ７１０ａに接続している。この場合、ノード５１０ａは、給電用レーザー７２０を複数備えてもよい。なお、送信側給電用コネクタ８３０は、ＭＣＦ６１０−ａｂの複数の光給電用コア６０２のみに給電用レーザー光を接続してもよい。さらに、送信側給電用コネクタ８３０は、ＭＣＦコネクタ７１０ａとＭＣＦ６１０−ａｂの信号伝送用コア６０１との間で光信号を中継する。
【０１２６】
ノード５１０ｂは、図１０に示す受信側給電用コネクタ７４０に代えて、受信側給電用コネクタ８４０を備える。
受信側給電用コネクタ８４０は、ＭＣＦ６１０−ａｂの複数の光給電用コア６０２により伝送された給電用レーザー光を分岐し、給電用レーザー光を光電気変換部７５０に接続する。受信側給電用コネクタ８４０は、さらに、ＭＣＦ６１０−ｂｘの光給電用コア６０２により伝送された給電用レーザー光をＭＣＦコネクタ７１０ｂから分岐し、給電用レーザー光を光電気変換部７５０に接続してもよい。この場合、ノード５１０ｂは、光電気変換部７５０を複数備えてもよい。また、受信側給電用コネクタ８４０は、ＭＣＦ６１０−ａｂの信号伝送用コア６０１とＭＣＦコネクタ７１０ｂとの間で光信号を中継する。
【０１２７】
なお、ＭＣＦコネクタ７１０ａと送信側給電用コネクタ８３０とが、両者の機能を満たす一体のコネクタであってもよい。同様に、ＭＣＦコネクタ７１０ｂと受信側給電用コネクタ８４０とが、両者の機能を満たす一体のコネクタであってもよい。
【０１２８】
また、送信側給電用コネクタ８３０は、給電用レーザー７２０を内蔵した構成でもよい。その場合、送信側給電用コネクタ８３０には給電用レーザー光の光入力の代わりに、電気入力が行われる。送信側給電用コネクタ８３０に内蔵される給電用レーザー７２０は、入力された電気を給電用レーザー光に変換する。同様に、受信側給電用コネクタ８４０が、光電気変換部７５０を内蔵した構成でもよい。その場合、受信側給電用コネクタ８４０は、光電気変換部７５０が給電用レーザー光から変換した電気を出力する。
【０１２９】
なお、光給電用コア６０２の数と給電用レーザー７２０の数又は光電気変換部７５０の数とが一致する必要はない。例えば、給電用レーザー７２０が５個、光給電用コア６０２が３コア、光電気変換部７５０が１つなどの構成も可能である。
例えば、光給電用コア６０２ごとに給電用レーザー７２０及び光電気変換部７５０を用意することもできるが、集約することで装置コストの削減あるいは占有スペースの縮小が可能となる。
【０１３０】
図１７は、複数の光給電用コア６０２を備えるＭＣＦ６１０の断面図である。図１７の左図に示すように、ＭＣＦ６１０の断面は円形である。ＭＣＦ６１０の内部には、同心円上に複数のコアが配置されている。複数のコアのうち、ｎ本（ｎは１以上の整数）が信号伝送用コア６０１であり、ｍ本（ｍは２以上の整数）が光給電用コア６０２である。信号伝送用コア６０１と光給電用コア６０２との配置は任意とすることができる。信号伝送用コア６０１と光給電用コア６０２とを図１７の右図のように縦に並べて図示する際の並び順は、必ずしもＭＣＦ６１０における信号伝送用コア６０１及び光給電用コア６０２の配置を表すものではない。
【０１３１】
図１８は、送信側給電用コネクタ８３０の構成例を示す図である。同図に示す送信側給電用コネクタ８３０は、第１の方向側に接続されるＭＣＦ６００と第２の方向側に接続されるＭＣＦ６００との両方に給電用レーザー光を供給する。
送信側給電用コネクタ８３０は、ｎ本の信号用伝送路８３１及び２ｍ本の給電用伝送路８３２を有する。信号用伝送路８３１及び給電用伝送路８３２には、図２Ａ、図２Ｂ、図３Ａ、図３Ｂ、図４Ａ及び図４Ｂにおいて示したように細径ファイバや光導波路、光学系などを用いることができる。
【０１３２】
送信側給電用コネクタ８３０は、信号用伝送路８３１により、第１の方向側に接続されるＭＣＦ６００の信号伝送用コア６０１と第２の方向側に接続されるＭＣＦ６００の信号伝送用コア６０１との間で光信号を中継する。信号用伝送路８３１は、直接、あるいは、ＭＣＦコネクタ７１０ａを介して信号伝送用コア６０１と接続される。
送信側給電用コネクタ８３０は、給電用伝送路８３２により、第１の方向側に接続されるＭＣＦ６００の光給電用コア６０２又は第２の方向側に接続されるＭＣＦ６００の光給電用コア６０２に、給電用レーザー７２０から出力される給電用レーザー光を接続する。給電用伝送路８３２は、直接、あるいは、ＭＣＦコネクタ７１０ａを介して、光給電用コア６０２と接続される。なお、送信側給電用コネクタ８３０は、第１の方向側のみに、あるいは、第２の方向側のみに、給電用レーザー光を接続してもよい。また、第１の方向側の光給電用コア６０２の数と、第２の方向側の光給電用コア６０２の数が異なっていてもよい。また、送信側給電用コネクタ８３０は、複数の給電用レーザー７２０から出力される給電用レーザー光を、光給電用コア６０２のコア数分（給電用伝送路８３２の数）だけ光入力してもよい。この場合、送信側給電用コネクタ８３０は、それらの給電用レーザー光を合波してから入力し、送信側給電用コネクタ８３０の内部で分波してもよい。
【０１３３】
図１９は、受信側給電用コネクタ８４０の構成例を示す図である。同図に示す受信側給電用コネクタ８４０は、第１の方向側に接続されるＭＣＦ６００と第２の方向側に接続されるＭＣＦ６００との両方から、給電用レーザー光を分岐する。
受信側給電用コネクタ８４０は、ｎ本の信号用伝送路８４１及び２ｍ本の給電用伝送路８４２を有する。信号用伝送路８４１及び給電用伝送路８４２には、図２Ａ、図２Ｂ、図３Ａ、図３Ｂ、図４Ａ及び図４Ｂにおいて示したように細径ファイバや光導波路、光学系などを用いることができる。
【０１３４】
受信側給電用コネクタ８４０は、信号用伝送路８４１により、第１の方向側に接続されるＭＣＦ６００の信号伝送用コア６０１と第２の方向側に接続されるＭＣＦ６００の信号伝送用コア６０１との間で光信号を中継する。信号用伝送路８４１はそれぞれ、直接、あるいは、ＭＣＦコネクタ７１０ｂを介して、ＭＣＦ６１０の信号伝送用コア６０１と接続される。
受信側給電用コネクタ８４０は、第１の方向側に接続されるＭＣＦ６００の光給電用コア６０２又は第２の方向側に接続されるＭＣＦ６００の光給電用コア６０２により伝送された給電用レーザー光を分岐する。受信側給電用コネクタ８４０は、給電用レーザー光を給電用伝送路８４２により光電気変換部７５０に接続する。給電用伝送路８４２は、直接、あるいは、ＭＣＦコネクタ７１０ｂを介して、光給電用コア６０２と接続される。なお、受信側給電用コネクタ８４０は、第１の方向側の光給電用コア６０２のみから、あるいは、第２の方向側の光給電用コア６０２のみから、給電用レーザー光を分岐してもよい。また、第１の方向側の光給電用コア６０２のコアの数と、第２の方向側の光給電用コア６０２の数が異なっていてもよい。また、受信側給電用コネクタ８４０は、複数の光給電用コア６０２から分岐した給電用レーザー光を、光給電用コア６０２のコア数分だけ光出力してもよい。受信側給電用コネクタ８４０は、コア数分の給電用レーザー光を光出力する場合、受信側給電用コネクタ８４０は、コア数分の給電用レーザー光を合波し、合波された給電用レーザー光を出力してもよい。
【０１３５】
上記構成により、光給電システム５０３において、ノード５１０ａの送信側給電用コネクタ８３０は、給電用レーザー７２０が出力する給電用レーザー光をＭＣＦ６１０−ａｂの複数の光給電用コア６０２及びＭＣＦコネクタ７１０ａに接続する。ノード５１０ｂの受信側給電用コネクタ８４０は、ＭＣＦ６１０−ａｂの複数の光給電用コア６０２から給電用レーザー光を分岐し、給電用レーザー光を光電気変換部７５０に接続する。光電気変換部７５０は、給電用レーザー光を電気に変換し、電気を給電対象設備７６０に供給する。また、ノード５１０ａのＭＣＦコネクタ７１０ａは、送信側給電用コネクタ８３０から挿入された給電用レーザー光を、ＭＣＦ６１０−ｘａの光給電用コア６０２に中継する。給電用レーザー光の伝送と独立に、ＭＣＦ６１０の信号伝送用コア６０１は、光信号を伝送する。ＭＣＦコネクタ７１０ａ、７１０ｂは、自ノードに割り当てられた信号伝送用コア６０１により伝送された光信号を分岐する。ＭＣＦコネクタ７１０ａ、７１０ｂは、宛先のノードに割り当てられた光信号を信号伝送用コア６０１に挿入する。ＭＣＦコネクタ７１０ａ、７１０ｂは、他の信号伝送用コア６０１の光信号を中継する。
【０１３６】
このように、ＭＣＦ６１０の複数の光給電用コア６０２を用いて、給電対象設備７６０がある１又は複数のノードに、光給電を行うことが可能である。１ノードの給電先のノードに対する給電元のノードは１ノードでもよく、複数ノードでもよい。また、１つの光給電元のノードから光給電対象設備７６０がある１又は複数の給電先のノードに対して光給電を行うことも可能である。
【０１３７】
なお、複数のノード５１０ｂが、ＭＣＦ６００を介して直列に接続される場合、各ノード５１０ｂの受信側給電用コネクタ７４０は、光給電用コア６０２により伝送された給電用レーザー光の一部のみを分岐し、残りの給電用レーザー光を次のノード５１０ｂ側に中継するようにしてもよい。これにより、１つのノードから供給された給電用レーザー光により、複数のノードに給電することが可能となる。
【０１３８】
図２０は、給電先のノードを直列に配置した光給電システム５０４の構成例を示す図である。同図において、図１０に示す光給電システム５００と同一の部分には同一の符号を付し、その説明を省略する。
光給電システム５０４では、ノード５１０ａと複数のノード５１０ｂとを直列に配置されている。同図では、ノード５１０ａと２台のノード５１０ｂが直列に配置されている場合を例に示しているが、３台以上のノード５１０ｂが配置されてもよい。各ノード間は、ＭＣＦ６００により接続される。ノード５１０ｂは、図１３に示す受信側給電用コネクタ７４０に代えて、図２１に示す受信側給電用コネクタ８５０を備える。
【０１３９】
図２１は、受信側給電用コネクタ８５０の構成例を示す図である。受信側給電用コネクタ８５０は、複数本の信号用伝送路８５１と１本の給電用伝送路８５２とを有する。信号用伝送路８５１及び給電用伝送路８５２には、図２Ａ、図２Ｂ、図３Ａ、図３Ｂ、図４Ａ及び図４Ｂにおいて示したように細径ファイバや光導波路、光学系などを用いることができる。
【０１４０】
受信側給電用コネクタ８５０は、信号用伝送路８５１により、第１の方向側に接続されるＭＣＦ６００の信号伝送用コア６０１と第２の方向側に接続されるＭＣＦ６００の信号伝送用コア６０１との間で光信号を中継する。信号用伝送路８５１は、直接、あるいは、ＭＣＦコネクタ７１０ｂを介して、ＭＣＦ６００の信号伝送用コア６０１と接続される。
受信側給電用コネクタ８５０は、給電用伝送路８５２により、第１の方向側に接続されるＭＣＦ６００の光給電用コア６０２から伝送された給電用レーザー光の一部を分岐し、分岐した給電用レーザー光を光電気変換部７５０に接続する。受信側給電用コネクタ８５０は、残りの給電用レーザー光を第２の方向に接続されるＭＣＦ６００の光給電用コア６０２に接続する。給電用伝送路８５２は、直接、あるいは、ＭＣＦコネクタ７１０ｂを介して、ＭＣＦ６００の光給電用コア６０２と接続される。
【０１４１】
光給電システム５０４のノード５１０ａの動作は、光給電システム５０１のノード５１０ａの動作と同様である。ノード５１０ａと隣接するノード５１０ｂに備えられる受信側給電用コネクタ８５０は、ノード５１０ａとノード５１０ｂとの間のＭＣＦ６００から給電用レーザー光の一部を分岐し、一部の給電用レーザー光を光電気変換部７５０に接続する。受信側給電用コネクタ８５０は、残りの給電用レーザー光をＭＣＦコネクタ７１０ｂに中継する。ＭＣＦコネクタ７１０ｂは、受信側給電用コネクタ８５０から入力された給電用レーザー光を、ノード５１０ｂ、５１０ｂの間を接続するＭＣＦ６００の光給電用コア６０２に接続し、給電用レーザー光を中継する。他のノード５１０ｂも同様に動作する。なお、光信号に関する動作は、光給電システム５０１と同様である。
なお、ここでは、１つの光給電用コアを使う場合について説明を行ったが、ＭＣＦ内の複数コアを光給電用コアとして用いる場合には、各光給電用コアをノードごとに割り当てて光給電を実施してもよい。その場合は、受信側給電用コネクタ８５０は、自ノードに割り当てられた光給電用コアで伝送された給電用レーザー光を自ノードの光電気変換部７５０に接続する。受信側給電用コネクタ８５０は、自ノード以外に割り当てられた光給電用コアで伝送された給電用レーザー光を、ＭＣＦコネクタ７１０ｂへ中継する。
また、１つの光給電用コアをノード間で共有する形態と、ノードごとに光給電用コアを割り当てる形態を組み合わせてもよい。
【０１４２】
本実施形態によれば、ＭＣＦ中の給電専用のコアに給電用の光を流し、受信ノード側で光−電気変換により電気を得ることができる。
【０１４３】
［第２の実施形態］
本実施形態は、ＭＣＦの同一のコアにおいて通信用の光信号と給電用の光とを伝送するコア共有型の光給電システムである。
【０１４４】
図２２は、本実施形態によるコア共有型の光給電システム５２０の構成例を示す図である。光給電システム５２０は、ＭＣＦ６２０により接続されるノード５３０ａとノード５３０ｂとを備えて構成される。
【０１４５】
ノード５３０ａは、例えば、上述した本実施形態を適用可能な通信システムの送受信ノード又はＡｄｄ／Ｄｒｏｐノード、あるいは、上述した本実施形態を適用可能な通信システムのノード間に設置される中継ノードである。ノード５３０ｂは、例えば、上述した本実施形態を適用可能な通信システムのＡｄｄ／Ｄｒｏｐノード、又は、上述した本実施形態を適用可能な通信システムのノード間に設置される中継ノードであるが、送受信ノードであってもよい。同図では、ノード５３０ａ及びノード５３０ｂがＡｄｄ／Ｄｒｏｐノードである場合を示している。なお、ノード５３０ａ及びノード５３０ｂが、上述した通信システムとは異なるトポロジの通信システムを構成するノードであってもよい。また、同図では、ノード５３０ａが、ノード５３０ｂとは異なる方向に隣接する他のノードともＭＣＦ６２０により接続されている場合を示しているが、他のノードと接続されていなくてもよい。また、同図では、ノード５３０ｂが、ノード５３０ａとは異なる方向に隣接する他のノードともＭＣＦ６２０により接続されている場合を示しているが、他のノードとは接続されていなくてもよい。
以下では、ノード５３０ｂとは異なる方向に隣接する他のノードとノード５３０ａとを接続するＭＣＦ６２０を６２０−ｘａと記載する。ノード５３０ａとノード５３０ｂとを接続するＭＣＦ６２０をＭＣＦ６２０−ａｂと記載する。ノード５３０ａと異なる方向に隣接する他のノードとノード５３０ｂとを接続するＭＣＦ６２０を６２０−ｂｘと記載する。
【０１４６】
ＭＣＦ６２０は、ｊ本の信号伝送用コア６０１とｋ本の共有コア６０３とを有する（ｊ＋ｋ≧１、ｊは０以上の整数、ｋは１以上の整数）。共有コア６０３は、信号伝送用コア６０１として用いることが可能である。よって、信号伝送用コア６０１は共有コア６０３により実現されてもよく、ＭＣＦ６２０は共有コア６０３のみを有してもよい。共有コア６０３は、通信用の光信号と、給電用レーザー光とを伝送する。給電用レーザー光の波長は、光信号の波長と異なる。
【０１４７】
ノード５３０ａは、ＭＣＦコネクタ９１０（コア接続部）、給電用レーザー７２０、及び、送信側給電用コネクタ９３０を備える。ノード５３０ａが備えるＭＣＦコネクタ９１０を、ＭＣＦコネクタ９１０ａと記載する。
【０１４８】
ＭＣＦコネクタ９１０ａは、ＭＣＦ６２０−ｘａ又は送信側給電用コネクタ９３０から自ノードに割り当てられた信号伝送用コア６０１又は共有コア６０３により伝送された光信号を分岐する。また、ＭＣＦコネクタ９１０ａは、宛先のノードに割り当てられた信号伝送用コア６０１又は共有コア６０３により伝送される光信号を、ＭＣＦ６２０−ｘａ又は送信側給電用コネクタ９３０に挿入する。ＭＣＦコネクタ９１０ａは、ＭＣＦ６２０−ｘａと送信側給電用コネクタ９３０との間で、自ノードにてＡｄｄ／Ｄｒｏｐを行わない信号伝送用コア６０１又は共有コア６０３により伝送された光信号を中継する。さらに、ＭＣＦコネクタ９１０ａは、送信側給電用コネクタ９３０から入力された給電用レーザー光をＭＣＦ６２０−ｘａの共有コア６０３に中継する。ノード５３０ａが中継ノードである場合、ＭＣＦコネクタ９１０ａは、全ての光信号及び給電用レーザー光を中継する。
【０１４９】
送信側給電用コネクタ９３０は、給電用レーザー７２０が出力した給電用レーザー光を、ＭＣＦ６２０−ａｂの共有コア６０３に接続する。送信側給電用コネクタ９３０は、ＭＣＦ６２０−ｘａの共有コア６０３により伝送する給電用レーザー光をＭＣＦコネクタ９１０ａに接続してもよい。この場合、ノード５３０ａは、給電用レーザー７２０を複数備えてもよい。さらに、送信側給電用コネクタ９３０は、ＭＣＦコネクタ９１０ａとＭＣＦ６２０−ａｂの信号伝送用コア６０１及び共有コア６０３との間で光信号を中継する。
【０１５０】
ノード５３０ｂは、ＭＣＦコネクタ９１０、受信側給電用コネクタ９４０、光電気変換部７５０、及び、給電対象設備７６０を備える。ノード５３０ｂが備えるＭＣＦコネクタ９１０を、ＭＣＦコネクタ９１０ｂと記載する。
【０１５１】
ＭＣＦコネクタ９１０ｂは、ＭＣＦ６２０−ｂｘ又は受信側給電用コネクタ９４０から、自ノードに割り当てられた信号伝送用コア６０１又は共有コア６０３により伝送された光信号を分岐する。また、ＭＣＦコネクタ９１０ｂは、宛先のノードに割り当てられた信号伝送用コア６０１又は共有コア６０３により伝送する光信号を、ＭＣＦ６２０−ｂｘ又は受信側給電用コネクタ９４０に挿入する。ＭＣＦコネクタ９１０ｂは、受信側給電用コネクタ９４０とＭＣＦ６２０−ｂｘとの間で、自ノードにてＡｄｄ／Ｄｒｏｐを行わない信号伝送用コア６０１又は共有コア６０３により伝送された光信号を中継する。さらに、ＭＣＦコネクタ９１０ｂは、ＭＣＦ６２０−ｂｘの共有コア６０３から入力された給電用レーザー光を受信側給電用コネクタ９４０に接続し、給電用レーザー光を中継する。ノード５３０ｂが中継ノードである場合、ＭＣＦコネクタ９１０ｂは、信号伝送用コア６０１又は共有コア６０３により伝送された全ての光信号を中継する。
【０１５２】
受信側給電用コネクタ９４０は、ＭＣＦ６２０−ａｂの共有コア６０３により伝送された給電用レーザー光を波長分離により分岐して光電気変換部７５０に接続する。受信側給電用コネクタ９４０は、さらに、ＭＣＦ６２０−ｂｘの共有コア６０３により伝送された給電用レーザー光を波長分離によりＭＣＦコネクタ９１０ｂから分岐して光電気変換部７５０に接続してもよい。この場合、ノード５３０ｂは、光電気変換部７５０を複数備えてもよい。また、受信側給電用コネクタ９４０は、ＭＣＦコネクタ９１０ｂとＭＣＦ６２０−ａｂの信号伝送用コア６０１及び共有コア６０３との間で光信号を中継する。
【０１５３】
なお、ＭＣＦコネクタ９１０ａと送信側給電用コネクタ９３０とが、両者の機能を満たす一体のコネクタであってもよい。同様に、ＭＣＦコネクタ９１０ｂと受信側給電用コネクタ９４０とが、両者の機能を満たす一体のコネクタであってもよい。
【０１５４】
また、送信側給電用コネクタ９３０は、給電用レーザー７２０を内蔵した構成でもよい。その場合、送信側給電用コネクタ９３０には給電用レーザー光の光入力の代わりに、電気入力が行われる。送信側給電用コネクタ９３０に内蔵される給電用レーザー７２０は、入力された電気を給電用レーザー光に変換する。
また、受信側給電用コネクタ９４０が、光電気変換部７５０を内蔵した構成でもよい。その場合、受信側給電用コネクタ９４０は、光電気変換部７５０が給電用レーザー光から変換した電気を出力する。
【０１５５】
図２３は、ＭＣＦ６２０の断面図である。図２３の左図に示すように、ＭＣＦ６２０の断面は円形である。なお、ＭＣＦ６２０の断面形状は円形以外でもよい。ＭＣＦ６２０の内部には、同心円上に等間隔で複数のコアが配置されているが、コアの配置は任意とすることができる。複数のコアのうち、ｎ本（ｎは０以上の整数）が信号伝送用コア６０１であり、ｍ本（ｍは１以上の整数）が共有コア６０３である。同図では、ｎ＝５、ｍ＝１の場合を示している。信号伝送用コア６０１と共有コア６０３とを図２３の右図のように縦に並べて図示する際の並び順は、必ずしもＭＣＦ６２０における信号伝送用コア６０１及び共有コア６０３の配置を表すものではない。また、ｎ本の信号伝送用コア６０１のうち、使用されない一部の信号伝送用コア６０１の記載を省略し、使用される信号伝送用コア６０１を抜き出して記載する。
【０１５６】
図２４は、送信側給電用コネクタ９３０の構成例を示す図である。同図に示す送信側給電用コネクタ９３０は、第１の方向側に接続されるＭＣＦ６００と第２の方向側に接続されるＭＣＦ６００との両方に給電用レーザー光を供給する。
送信側給電用コネクタ９３０は、ｎ本の信号用伝送路９３１、ｍ本の共有伝送路９３２、及び、２ｍ個の光結合部９３３を有する。信号用伝送路９３１及び共有伝送路９３２には、図２Ａ、図２Ｂ、図３Ａ、図３Ｂ、図４Ａ及び図４Ｂにおいて示したように細径ファイバや光導波路、光学系などを用いることができる。
【０１５７】
送信側給電用コネクタ９３０は、信号用伝送路９３１により、第１の方向側に接続されるＭＣＦ６００の信号伝送用コア６０１と第２の方向側に接続されるＭＣＦ６００の信号伝送用コア６０１との間で光信号を中継する。信号用伝送路９３１は、直接、あるいは、ＭＣＦコネクタ９１０ａを介して、信号伝送用コア６０１と接続される。
送信側給電用コネクタ９３０は、共有伝送路９３２により、第１の方向側に接続されるＭＣＦ６００の共有コア６０３と第２の方向側に接続されるＭＣＦ６００の共有コア６０３との間で、光信号を中継する。
光結合部９３３は、各共有伝送路９３２の第１の方向側及び第２の方向側のそれぞれに１台ずつ配置される。第１の方向側に設置された光結合部９３３は、共有伝送路９３２により中継される第１の方向の光信号に、給電用レーザー７２０から出力される給電用レーザー光を結合する。第２の方向側に設置された光結合部９３３は、共有伝送路９３２により中継される第２の方向の光信号に、給電用レーザー７２０から出力される給電用レーザー光を結合する。
なお、光結合部９３３は、第１の方向側の共有コア６０３により伝送する光信号のみに、あるいは、第２の方向側の共有コア６０３により伝送する光信号のみに、給電用レーザー光を結合してもよい。この場合、共有伝送路９３２に光結合部９３３が１つのみ配置されてもよい。光結合部９３３には、例えば、導波路結合やサーキュレータなどが用いられる。なお、第１の方向及び第２の方向それぞれに配置された光結合部９３３は、両者の機能を兼ね備えた一体の光結合部であってもよい。
【０１５８】
図２５は、受信側給電用コネクタ９４０の構成例を示す図である。同図に示す受信側給電用コネクタ９４０は、第１の方向側に接続されるＭＣＦ６００と第２の方向側に接続されるＭＣＦ６００との両方から、給電用レーザー光を分岐する。
受信側給電用コネクタ９４０は、ｎ本の信号用伝送路９４１、ｍ本の共有伝送路９４２、及び、２ｍ個の波長抽出機能部９４３を有する。信号用伝送路９４１及び共有伝送路９４２には、図２Ａ、図２Ｂ、図３Ａ、図３Ｂ、図４Ａ及び図４Ｂにおいて示したように細径ファイバや光導波路、光学系などを用いることができる。
【０１５９】
受信側給電用コネクタ９４０は、信号用伝送路９４１により、第１の方向側に接続されるＭＣＦ６００の信号伝送用コア６０１と第２の方向側に接続されるＭＣＦ６００の信号伝送用コア６０１との間で光信号を中継する。信号用伝送路９４１はそれぞれ、直接、あるいは、ＭＣＦコネクタ９１０ｂを介して、ＭＣＦ６２０の信号伝送用コア６０１と接続される。
受信側給電用コネクタ９４０は、共有伝送路９４２により、第１の方向側に接続されるＭＣＦ６００の共有コア６０３と第２の方向側に接続されるＭＣＦ６００の共有コア６０３との間で光信号を中継する。
波長抽出機能部９４３は、各共有伝送路９３２の第１の方向側及び第２の方向側のそれぞれに１台ずつ配置される。第１の方向側に設置された波長抽出機能部９４３は、共有伝送路９４２において第２の方向に伝送される光信号及び給電用レーザー光から、波長分離により給電用レーザー光を抽出する。波長抽出機能部９４３は、抽出した給電用レーザー光を光電気変換部７５０に接続し、光信号をそのまま第２の方向に中継する。第２の方向側に設置された波長抽出機能部９４３は、共有伝送路９４２において第１の方向に伝送される光信号及び給電用レーザー光から、波長分離により給電用レーザー光を抽出する。波長抽出機能部９４３は、抽出した給電用レーザー光を光電気変換部７５０に接続し、光信号をそのまま第１の方向に中継する。波長抽出機能部９４３には、例えば、ＡＷＧ（アレイ導波路：arrayed waveguide grating）やサーキュレータとＦＢＧ（ファイバーブラッググレーティング）などが用いられる。なお、第１の方向側及び第２の方向側それぞれに配置された波長抽出機能部９４３は、両者の機能を兼ね備えた一体の波長抽出機能部であってもよい。
【０１６０】
上記構成により、光給電システム５２０において、ノード５３０ａのＭＣＦコネクタ９１０ａは、ＭＣＦ６２０−ｘａの信号伝送用コア６０１から受信した光信号を送信側給電用コネクタ９３０の信号用伝送路９３１に中継する。また、ＭＣＦコネクタ９１０ａは、送信側給電用コネクタ９３０の信号用伝送路９３１からの光信号を、ＭＣＦ６２０−ｘａの信号伝送用コア６０１に中継する。さらに、ＭＣＦコネクタ９１０ａは、ノード５３０ｂが宛先の光信号を送信側給電用コネクタ９３０の共有伝送路９３２に挿入する。
なお、共有コア６０３により伝送される光信号がノード５３０ａにおいて分岐すべき光信号ではない場合、ＭＣＦコネクタ９１０ａは、ＭＣＦ６２０−ｘａの共有コア６０３により伝送された光信号を送信側給電用コネクタ９３０の共有伝送路９３２に中継する。
【０１６１】
送信側給電用コネクタ９３０は、ＭＣＦコネクタ９１０ａが信号用伝送路９３１に接続した光信号を、ＭＣＦ６２０−ａｂの信号伝送用コア６０１に中継する。送信側給電用コネクタ９３０は、ＭＣＦ６２０−ａｂの信号伝送用コア６０１から接続した光信号をＭＣＦコネクタ９１０ａに中継する。さらに、送信側給電用コネクタ９３０は、ＭＣＦコネクタ９１０ａが共有伝送路９３２に挿入した光信号に、給電用レーザー７２０が出力する給電用レーザー光を結合する。送信側給電用コネクタ９３０は、給電用レーザー光を結合させた光信号をＭＣＦ６２０−ａｂの共有コア６０３に挿入する。
【０１６２】
ノード５３０ｂの受信側給電用コネクタ９４０は、ＭＣＦ６２０−ａｂの信号伝送用コア６０１から接続した光信号をＭＣＦコネクタ９１０ｂに中継する。受信側給電用コネクタ９４０は、ＭＣＦコネクタ９１０ｂが信号用伝送路９４１に挿入した光信号を、ＭＣＦ６２０−ａｂの信号伝送用コア６０１に中継する。さらに、受信側給電用コネクタ９４０は、ＭＣＦ６２０−ａｂの共有コア６０３により伝送された光信号及び給電用レーザー光を、共有伝送路９３２に接続する。波長抽出機能部９４３は、共有伝送路９３２に接続された光信号及び給電用レーザー光のうち、給電用レーザー光を波長分離により分波する。波長抽出機能部９４３は、給電用レーザー光を光電気変換部７５０に接続し、光信号をＭＣＦコネクタ９１０ｂに中継する。光電気変換部７５０は、給電用レーザー光を電気に変換し、電気を給電対象設備７６０に供給する。
【０１６３】
ノード５３０ｂのＭＣＦコネクタ９１０ｂは、受信側給電用コネクタ９４０の信号用伝送路９３１により伝送された光信号を、ＭＣＦ６２０−ｂｘの信号伝送用コア６０１に中継する。また、ＭＣＦコネクタ９１０ｂは、受信側給電用コネクタ９４０の共有伝送路９３２により伝送された自ノード宛ての光信号を分岐する。さらに、ＭＣＦコネクタ９１０ｂは、宛先のノードに割り当てられた信号伝送用コア６０１に光信号を挿入する。
なお、共有コア６０３により伝送される光信号がノード５３０ｂにおいて分岐すべき光信号ではない場合、ＭＣＦコネクタ９１０ｂは、受信側給電用コネクタ９４０の共有伝送路９３２により伝送された光信号を、ＭＣＦ６２０−ｂｘの共有コア６０３に中継する。
【０１６４】
なお、図１４に示す第１の実施形態の光給電システム５０１のノード５１０ｃと同様に、ノード５３０ａとノード５３０ｂとの間の他のノードが光伝送を中継してもよい。
また、送信側給電用コネクタ９３０、受信側給電用コネクタ９４０、及び、ＭＣＦ６２０が対応しているのであれば、図１５に示す第１の実施形態の光給電システム５０２の光給電用コア６０２と同様に、途中で共有コア６０３がＭＣＦ６２０中の別の位置のコアになってもよい。
また、本実施形態では、光信号と給電用の光とがノード５３０ａとノード５３０ｂとの間で授受される説明を行ったが、光信号の授受の区間と給電用の光の授受の区間は独立でもよい。その場合、ＭＣＦコネクタ９１０ａ及びＭＣＦコネクタ９１０ｂには、給電用の光を中継させる機能部が必要となる。
また、図２０に示す第１の実施形態の光給電システム５０４のノード５１０ｂと同様に、複数のノード５３０ｂを、ＭＣＦ６２０を介して直列に配置してもよい。各ノード５３０ｂの受信側給電用コネクタ９４０は、共有コア６０３により伝送された給電用レーザー光の一部を分岐する。受信側給電用コネクタ９４０は、光信号及び残りの給電用レーザー光を次のノード５３０ｂとの間のＭＣＦ６２０の共有コア６０３に中継する。この場合、各ノード５１０ｂによって給電に用いる給電用レーザー光の波長を変え、受信側給電用コネクタ９４０の波長抽出機能部９４３は、自ノードに割り当てられた波長の給電用レーザー光を分離し、他の波長の給電用レーザー光を光信号と共に中継してもよい。
【０１６５】
なお、上述した実施形態では、１本の共有コア６０３を使う場合について説明を行ったが、複数の共有コア６０３を用いる場合には、各共有コア６０３をノードごとに割り当てて光給電を実施してもよい。その場合は、受信側給電用コネクタ９４０は、自ノードに割り当てられた共有コア６０３で伝送された給電用レーザー光を自ノードの光電気変換部７５０に接続する。受信側給電用コネクタ９４０は、自ノード以外に割り当てられた共有コア６０３で伝送された光を、ＭＣＦコネクタ９１０ｂへ中継する。
また、１つの共有コア６０３の給電用レーザー光をノード間で共有する形態と、ノードごとに共有コア６０３の給電用レーザー光を割り当てる形態を組み合わせてもよい。
【０１６６】
また、ＭＣＦが対応していれば、第１の実施形態のコア占有型の光給電システム５００、５０１、５０２、５０３、５０４に、コア共有型の光給電システム５２０の送信側給電用コネクタ９３０、受信側給電用コネクタ９４０を用いてもよい。
また、共有コア６０３の数と給電用レーザー７２０の数又は光電気変換部７５０の数が一致する必要はない。例えば、給電用レーザー７２０が５個、共有コア６０３が３コア、光電気変換部７５０が１つなどの構成も可能である。
【０１６７】
光信号の信号伝送先と給電用レーザー光の光給電先とが同一であり、同一の共有コア６０３を用いてそれらの光信号と給電用レーザー光とを伝送する場合には、送信側給電用コネクタ９３０が光信号と給電用レーザー光とを合波しなくてもよい。この場合、ＭＣＦコネクタ９１０ａへ入力する前に光信号と給電用レーザー光とが合波されてもよい。同様に、光信号の信号伝送先と給電用レーザー光の光給電先とが同一であり、同一の共有コア６０３を用いて光信号と給電用レーザー光とを伝送する場合には、受信側給電用コネクタ９４０が光信号と給電用レーザー光とを分波しなくてもよい。この場合、ＭＣＦコネクタ９１０ｂへの接続時あるいは接続後に光信号と給電用レーザー光とが分波されてもよい。
【０１６８】
本実施形態によれば、ＭＣＦ中の少なくとも一部のコアを信号伝送と光給電に併用し、受信ノード側に電気を供給することができる。
【０１６９】
以上説明した本発明の実施形態によれば、ノードに設置される装置への光給電が可能となる。よって、電源設備のない場所への送電や、装置への接続配線の簡略化が可能となる。また、給電用レーザー光により給電される電力が、二次電池又はキャパシタなどに蓄えられてもよい。給電対象設備は、光電気変換部７５０から供給される電力で動作してもよいし、二次電池又はキャパシタなどに蓄えられた電力で動作してもよい。
【０１７０】
上述した各実施形態では、ノード間の接続にＭＣＦが用いられた構成について説明した。実施形態で説明した構成に限らず、図９及び図１０に示したようにノード間の接続にＳＣＦが用いられてもよい。ノード間の接続にＳＣＦが用いられている場合においても、給電用レーザー光は給電元のノードから給電先のノードへ伝送されるので、ノード間の接続にＭＣＦが用いられている場合と同様に、光給電が可能である。
【０１７１】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１７２】
マルチコアファイバによりノード間の信号を伝送するシステムに利用可能である。
【符号の説明】
【０１７３】
１００、１００Ａ、１００Ｃ、１００Ｄ  通信システム
１１０、１１０ａ、１１０ｂ  送受信ノード
１１１−１〜１１１−６  送信装置
１１２−１〜１１２−６  受信装置
１１３−１〜１１３−６  送受信装置
１２０、１２０−１〜１２０−３  Ａｄｄ／Ｄｒｏｐノード
１２１−１〜１２１−３  送信装置
１２２−１〜１２２−３  受信装置
１２５−１〜１２５−３  送受信装置
１２６−１〜１２６−３  送受信装置
１５０、１５０−１〜１５０−３  コネクタ
１６０−１〜１６０−４  コネクタ
１８０−１〜１８０−３  コネクタ
１８５−１〜１８５−３  コネクタ
２００−１〜２００−４、２００−２１、２００−２２  ＭＣＦ（マルチコアファイバ）
２０１、２０１−１〜２０１−４、２０１−２１、２０２−２１、２０３−２１、２０１−２２、２０２−２２、２０３−２２  コア
２０２、２０２−１〜２０２−４  コア
２０３、２０３−１〜２０３−４  コア
２１０−１〜２１０−４  ＭＣＦ（マルチコアファイバ）
２１１、２１１−１〜２１１−４  コア
２１２、２１２−１〜２１２−４  コア
２１３、２１３−１〜２１３−４  コア
２１４、２１４−１〜２１４−４  コア
２１５、２１５−１〜２１５−４  コア
２１６、２１６−１〜２１６−４  コア
４００−１、４００−２  変換コネクタ
４１０−１、４１０−２  変換コネクタ
４５１、４５２、４５３  ＳＣＦ（シングルコアファイバ）
５００、５０１、５０２、５０４、５０４、５２０  光給電システム
５１０ａ、５１０ｂ、５１０ｃ、５１０ｄ、５３０ａ、５３０ｂ  ノード
６０１  信号伝送用コア
６０２  光給電用コア
６０３  共有コア
７１０、７１０ａ、７１０ｂ、７１０ｃ、７１０ｄ  コネクタ
７２０  給電用レーザー
７３０  送信側給電用コネクタ
７３１  信号用伝送路
７３２  給電用伝送路
７４０  受信側給電用コネクタ
７４１  信号用伝送路
７４２  給電用伝送路
７５０  光電気変換部
８３０  送信側給電用コネクタ
８３１  信号用伝送路
８３２  給電用伝送路
８４０  受信側給電用コネクタ
８４１  信号用伝送路
８４２  給電用伝送路
８４３  波長抽出機能部
８５０  受信側給電用コネクタ
８５１  信号用伝送路
８５２  給電用伝送路
９１０、９１０ａ、９１０ｂ  コネクタ
９３０  送信側給電用コネクタ
９３１  信号用伝送路
９３２  共有伝送路
９３３  光結合部
９４０  受信側給電用コネクタ
９４１  信号用伝送路
９４２  共有伝送路
９４３  波長抽出機能部
【図１】
2017090608.tif 000003
【図２Ａ】
2017090608.tif 000004
【図２Ｂ】
2017090608.tif 000005
【図３Ａ】
2017090608.tif 000006
【図３Ｂ】
2017090608.tif 000007
【図４Ａ】
2017090608.tif 000008
【図４Ｂ】
2017090608.tif 000009
【図５】
2017090608.tif 000010
【図６】
2017090608.tif 000011
【図７】
2017090608.tif 000012
【図８】
2017090608.tif 000013
【図９】
2017090608.tif 000014
【図１０】
2017090608.tif 000015
【図１１】
2017090608.tif 000016
【図１２】
2017090608.tif 000017
【図１３】
2017090608.tif 000018
【図１４】
2017090608.tif 000019
【図１５】
2017090608.tif 000020
【図１６】
2017090608.tif 000021
【図１７】
2017090608.tif 000022
【図１８】
2017090608.tif 000023
【図１９】
2017090608.tif 000024
【図２０】
2017090608.tif 000025
【図２１】
2017090608.tif 000026
【図２２】
2017090608.tif 000027
【図２３】
2017090608.tif 000028
【図２４】
2017090608.tif 000029
【図２５】
2017090608.tif 000030
【国際調査報告】
2017090608.tif 000031
2017090608.tif 000032
2017090608.tif 000033
2017090608.tif 000034